(57)【特許請求の範囲】
【請求項１】
無線ネットワークにおけるセル間干渉の緩和を促進させるためにユーザ機器（ＵＥ）で実行される方法であり、
ノードによりサービスを受けているセル内の前記ＵＥをユニークに識別するために前記ＵＥに割り当てられたラジオ・ネットワーク・テンポラリ・アイデンティファイヤ（ＲＮＴＩ：radio network temporary identifier）を受信することと、
前記ノードによりサービスを受けている前記セル内の前記ＵＥとの干渉を引き起こす可能性のある少なくとも１つの隣接セル内のＵＥにそれぞれに割り当てられたＲＮＴＩのサブセットを受信することと、
前記ノードによりサービスを受けている前記セル内の前記ＵＥとの干渉を引き起している少なくとも１つの隣接セル内のＵＥの中から、少なくとも１つの干渉を引き起こすＵＥを、前記受信したＲＮＴＩのサブセットに基づいて判定することと、ここで、前記少なくとも１つの干渉を引き起こすＵＥには前記受信したＲＮＴＩのサブセットの対応する１つが割り当てられている、
前記少なくとも１つの干渉を引き起こすＵＥに関して干渉を緩和させる手順を開始することとを含み、
前記少なくとも１つの隣接セル内の前記ＵＥに割り当てられた前記ＲＮＴＩのサブセット内の前記ＲＮＴＩは各々が、前記少なくとも１つの隣接セル内の前記ＵＥに割り当てられた前記ＲＮＴＩのサブセットをユニークに識別する第１の構成要素、および前記ＲＮＴＩのサブセットの各ＲＮＴＩが割り当てられた前記少なくとも１つの隣接セル内の前記ＵＥの対応する１つをユニークに識別する第２の構成要素を含む方法。
【請求項２】
前記ＲＮＴＩのサブセットの前記第１の構成要素を受信することと、
前記受信したＲＮＴＩのサブセットに含まれている前記ＲＮＴＩをスキャンして前記少なくとも１つの隣接セル内の前記ＵＥのうちの前記対応する１つに割り当てられた前記ＲＮＴＩのそれぞれの前記第２の構成要素を前記ＲＮＴＩの前記第１の構成要素に基づいて判定することと、
前記少なくとも１つの隣接セル内の前記ＵＥに割り当てられた前記ＲＮＴＩの前記判定されたそれぞれの第２の構成要素に基づいて、前記少なくとも１つの隣接セル内の前記少なくとも１つの干渉を引き起こすＵＥを判定することと
をさらに含む請求項１に記載の方法。
【請求項３】
各ＲＮＴＩは１６ビットで構成され、
各ＲＮＴＩの前記第１の構成要素は前記１６ビットのうちの最初の１２ビットによって構成され、各ＲＮＴＩの前記第２の構成要素は前記第１の構成要素の前記最初の１２ビットに続く４ビットによって構成され、前記第２の構成要素の前記４ビットは各ＲＮＴＩがそれぞれ割り当てられる前記ＵＥのうちの対応する１つをユニークに識別する請求項１に記載の方法。
【請求項４】
前記ＲＮＴＩのサブセットが、物理ダウンリンク制御チャネル（ＰＤＣＣＨ）または物理ダウンリンク共有チャネル（ＰＤＳＣＨ）のうちの１つでブロードキャストを介して受信される請求項１に記載の方法。
【請求項５】
前記干渉を緩和させる手順が、前記判定されたＵＥのアイデンティティを含む干渉通知信号を、前記少なくとも１つの隣接セルにサービスを提供している前記ノードまたは別のノードの少なくとも１つに送信することを含む請求項１に記載の方法。
【請求項６】
ノードによりサービスを受けているセル内の前記ＵＥをユニークに識別するために前記ＵＥに割り当てられたラジオ・ネットワーク・テンポラリ・アイデンティファイヤ（ＲＮＴＩ）を受信する手段と、
前記ノードによりサービスを受けている前記セル内の前記ＵＥとの干渉を引き起こす可能性のある少なくとも１つの隣接セル内のＵＥにそれぞれに割り当てられたＲＮＴＩのサブセットを受信する手段と、
前記ノードによりサービスを受けている前記ＵＥと干渉する前記少なくとも１つの隣接セル内の前記ＵＥの中から、少なくとも１つの干渉を引き起こすＵＥを、前記受信したＲＮＴＩのサブセットに基づいて判定する手段と、ここで、前記少なくとも１つの干渉を引き起こすＵＥには前記受信したＲＮＴＩのサブセットの対応する１つが割り当てられている、
前記少なくとも１つの干渉を引き起こすＵＥに関して干渉を緩和させる手順を開始する手段とを備え、
前記少なくとも１つの隣接セル内の前記ＵＥに割り当てられた前記ＲＮＴＩのサブセット内の前記ＲＮＴＩが前記少なくとも１つの隣接セル内の前記ＵＥに割り当てられた前記ＲＮＴＩのサブセットをユニークに識別する第１の構成要素、および前記ＲＮＴＩのサブセットの各ＲＮＴＩが割り当てられた前記少なくとも１つの隣接セル内の前記ＵＥの対応する１つをユニークに識別する第２の構成要素を備える装置。
【請求項７】
前記ＲＮＴＩのサブセットの前記第１の構成要素を受信する手段と、
前記受信したＲＮＴＩのサブセットに含まれている前記ＲＮＴＩをスキャンして前記少なくとも１つの隣接セル内の前記ＵＥのうちの前記対応する１つに割り当てられた前記ＲＮＴＩのそれぞれの前記第２の構成要素を前記ＲＮＴＩの前記第１の構成要素に基づいて判定する手段と、
前記少なくとも１つの隣接セル内の前記ＵＥに割り当てられた前記ＲＮＴＩの前記判定されたそれぞれの第２の構成要素に基づいて前記少なくとも１つの隣接セル内の前記少なくとも１つの干渉を引き起こすＵＥを判定する手段と
をさらに含む請求項６に記載の装置。
【請求項８】
各ＲＮＴＩは１６ビットで構成され、
各ＲＮＴＩの前記第１の構成要素は前記１６ビットのうちの最初の１２ビットによって構成され、各ＲＮＴＩの前記第２の構成要素は前記第１の構成要素の前記最初の１２ビットに続く４ビットによって構成され、前記第２の構成要素の前記４ビットは各ＲＮＴＩがそれぞれ割り当てられる前記ＵＥのうちの対応する１つをユニークに識別する請求項６に記載の装置。
【請求項９】
前記ＲＮＴＩのサブセットが、物理ダウンリンク制御チャネル（ＰＤＣＣＨ）または物理ダウンリンク共有チャネル（ＰＤＳＣＨ）のうちの１つでブロードキャストを介して受信される請求項６に記載の装置。
【請求項１０】
前記干渉を緩和させる手順が、前記判定されたＵＥのアイデンティティを含む干渉通知信号を、前記少なくとも１つの隣接セルにサービスを提供している前記ノードまたは別のノードの少なくとも１つに送信することを含む請求項６に記載の装置。
【請求項１１】
ノードによりサービスを受けているセル内の前記ＵＥをユニークに識別するために前記ＵＥに割り当てられたラジオ・ネットワーク・テンポラリ・アイデンティファイヤ（ＲＮＴＩ）を受信するコードと、
前記ノードによりサービスを受けている前記セル内の前記ＵＥとの干渉を引き起こす可能性のある少なくとも１つの隣接セル内のＵＥにそれぞれに割り当てられたＲＮＴＩのサブセットを受信するコードと、
前記ノードによりサービスを受けている前記セル内の前記ＵＥとの干渉を引き起している少なくとも１つの隣接セル内のＵＥの中から、少なくとも１つの干渉を引き起こすＵＥを、前記受信したＲＮＴＩのサブセットに基づいて判定するコードと、ここで、前記少なくとも１つの干渉を引き起こすＵＥには前記受信したＲＮＴＩのサブセットの対応する１つが割り当てられている、
前記少なくとも１つの干渉を引き起こすＵＥに関して干渉を緩和させる手順を開始するコードとを備え、
前記少なくとも１つの隣接セル内の前記ＵＥに割り当てられた前記ＲＮＴＩのサブセット内の前記ＲＮＴＩは各々が、前記少なくとも１つの隣接セル内の前記ＵＥに割り当てられた前記ＲＮＴＩのサブセットをユニークに識別する第１の構成要素、および前記ＲＮＴＩのサブセットの各ＲＮＴＩが割り当てられた前記少なくとも１つの隣接セル内の前記ＵＥの対応する１つをユニークに識別する第２の構成要素を含むコンピュータ読取可能な記録媒体。
【請求項１２】
ノードによりサービスを受けているセル内の前記ＵＥをユニークに識別するために前記ＵＥに割り当てられたラジオ・ネットワーク・テンポラリ・アイデンティファイヤ（ＲＮＴＩ）を受信し、前記ノードによりサービスを受けている前記セル内の前記ＵＥとの干渉を引き起こす可能性のある少なくとも１つの隣接セル内のＵＥにそれぞれ割り当てられたＲＮＴＩのサブセットを受信するように構成された受信ユニットと、
前記ノードによりサービスを受けている前記セル内の前記ＵＥとの干渉を引き起こしている前記少なくとも１つの隣接セル内の前記ＵＥの中から、干渉を引き起こす少なくとも１つのＵＥを、前記受信したＲＮＴＩのサブセットに基づいて判定するように構成された処理ユニットと、
前記干渉を引き起こす少なくとも１つのＵＥに関して干渉を緩和させる手順を開始するように構成された送信ユニットとを備え、
前記少なくとも１つの隣接セル内の前記ＵＥに割り当てられた前記ＲＮＴＩのサブセット内の前記ＲＮＴＩは各々が、前記少なくとも１つの隣接セル内の前記ＵＥに割り当てられた前記ＲＮＴＩのサブセットをユニークに識別する第１の構成要素、および前記ＲＮＴＩのサブセットの各ＲＮＴＩが割り当てられた前記少なくとも１つの隣接セル内の前記ＵＥの対応する１つをユニークに識別する第２の構成要素を含むユーザ機器（ＵＥ）。
【請求項１３】
前記受信ユニットは、前記ＲＮＩのサブセットの前記第１の構成要素を受信するようにさらに構成され、
前記処理ユニットは、前記受信したＲＮＴＩのサブセットに含まれている前記ＲＮＴＩをスキャンして、前記少なくとも１つの隣接セル内の前記ＵＥのうちの前記対応する１つに割り当てられた前記ＲＮＴＩのそれぞれの前記第２の構成要素を判定すること、および、前記少なくとも１つの隣接セル内の前記少なくとも１つの干渉を引き起こすＵＥを、前記少なくとも１つの隣接セル内の前記ＵＥに割り当てられた前記ＲＮＴＩの前記判定されたそれぞれの第２の構成要素に基づいて判定することをするようにさらに構成されている請求項１２に記載のＵＥ。
【請求項１４】
各ＲＮＴＩは１６ビットで構成され、
各ＲＮＴＩの前記第１の構成要素は前記１６ビットのうちの最初の１２ビットによって構成され、各ＲＮＴＩの前記第２の構成要素は前記第１の構成要素の前記最初の１２ビットに続く４ビットによって構成され、前記第２の構成要素の前記４ビットは各ＲＮＴＩがそれぞれ割り当てられる前記ＵＥのうちの対応する１つをユニークに識別する請求項１２に記載のＵＥ。
【請求項１５】
前記ＲＮＴＩのサブセットが、物理ダウンリンク制御チャネル（ＰＤＣＣＨ）または物理ダウンリンク共有チャネル（ＰＤＳＣＨ）のうちの１つでブロードキャストを介して受信される請求項１２に記載のＵＥ。
【請求項１６】
前記干渉を緩和させる手順が、前記判定されたＵＥのアイデンティティを含む干渉通知信号を、前記少なくとも１つの隣接セルにサービスを提供している前記ノードまたは別のノードの少なくとも１つに送信することを含む請求項１２に記載のＵＥ。
【発明の詳細な説明】
【関連出願に対する相互参照】
【０００１】
本願は、２００９年３月２０日に出願された米国仮出願６１／１６２，１８７号に対する３５Ｕ．Ｓ．Ｃ．§１１９（ｅ）の下の優先権を主張する。
【０００２】
この先願の全内容は、参照によって本明細書に組み込まれる。
【技術分野】
【０００３】
本開示は、セル間干渉キャンセルを容易にするための装置および方法に関し、さらに詳しくは、暗黙的にＲＮＴＩ（ラジオ・ネットワーク・テンポラリ・アイデンティフィケーション）情報をブロードキャストすることによって、および／または、ＲＮＴＩ空間を分割することによって、セル間干渉キャンセルを容易にするためのシステムおよび方法に関する。
【背景技術】
【０００４】
無線通信システムは、さまざまなタイプの通信を提供するために広く開発された。例えば、音声および／またはデータが、そのような無線通信システムによって提供されうる。一般的な無線通信システム（すなわち、ネットワーク）は、（例えば、帯域幅や送信電力等のような）１または複数の共有リソースへ複数のユーザ・アクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のようなさまざまな多元接続技術を使用することができる。
【０００５】
一般に、無線多元接続通信システムは、複数のユーザ機器（ＵＥ）のための通信を同時にサポートすることができる。ＵＥはおのおのの、順方向リンクおよび逆方向リンクにおける送信によって、１または複数の基地局と通信しうる。順方向リンク（すなわち、ダウンリンク）は基地局からＵＥへの通信リンクを称し、逆方向リンク（すなわち、アップリンク）はＵＥから基地局への通信リンクを称する。ネットワーク有効通信範囲およびサービス品質の最適化は、無線ネットワーク・オペレータにとって変わることのない目標である。セルラ・システムの構成により、ＵＥは、１または複数のその他のＵＥから、および／または、１または複数の非サービス提供セルから干渉を受けることがある。例えば、基地局によってサービス提供されているＵＥは、一般に、同じ基地局内で制御される同じ基地局によってサービス提供される別のＵＥから、および／または、近隣基地局によってサービス提供されている別のＵＥから干渉を受けることがある。ネットワーク有効通信範囲およびサービス品質を最適化するために、無線ネットワーク・オペレータは、このような干渉を緩和および／またはキャンセルすることを目指している。このような干渉を緩和するためのさまざまなアプローチが提案されているが、ＲＮＴＩ（ラジオ・ネットワーク・テンポラリ・アイデンティフィケーション）を用いるものは、計算負荷が高くなりうる。
【発明の概要】
【０００６】
典型的な実施形態は、無線ネットワークにおけるセル間干渉キャンセルを容易にする方法を提供する。この典型的な方法は、無線ネットワーク内の基地局によってサービス提供されているユーザ機器（ＵＥ）のセットのためのＲＮＴＩ（ラジオ・ネットワーク・テンポラリ・アイデンティフィケーション）のセットを、無線ネットワークの端末において管理することを含む。この典型的な方法はまた、ＵＥが、少なくとも１つの近隣セルとの干渉を引き起こしそうであるかを、端末において、ＵＥの少なくとも１つの各属性に基づいて判定することを含む。さらに、この典型的な方法は、端末において、ＲＮＴＩのセットを、干渉を引き起こしそうであると判定されたＵＥの少なくとも１つの第１のサブセットと、干渉を引き起こしそうであるとは判定されなかったＵＥの少なくとも１つの第２のサブセットとに分割することを含む。この典型的な方法はまた、干渉を引き起こしそうであると判定されたＵＥを、端末において、ＲＮＴＩの少なくとも１つの第１のサブセットに割り当て、これによって、干渉を引き起こしそうであると判定されたＵＥがそれぞれ、ＲＮＴＩの少なくとも１つのサブセット内のＲＮＴＩのうちの対応する１つを割り当てられるようにすることを含む。割り当てられたおのおののＲＮＴＩは、ＵＥのうちの対応する１つをユニークに識別しうる。
【０００７】
典型的な実施形態は、無線ネットワークにおけるセル間干渉キャンセルを容易にする方法を提供する。この典型的な方法は、無線ネットワークにおける基地局によってサービス提供されているＵＥのセットのためのＲＮＴＩのセットを、無線ネットワークの端末において管理することと、ＲＮＴＩのセットを、端末において、複数のサブセットに分割することとを含む。それに加えて、この典型的な方法はまた、端末において、分割された複数のサブセット内の第１のセットへ、ＵＥの第１のグループを割り当て、これによって、ＵＥの第１のグループにおけるＵＥがそれぞれ、ＲＮＴＩの第１のサブセット内のＲＮＴＩのうちの対応する１つを割り当てられるようにすることを含む。ＲＮＴＩの第１のサブセット内の割り当てられたおのおののＲＮＴＩは、ＲＮＴＩの第１のサブセットをユニークに識別する第１の構成要素と、ＲＮＴＩの第１のサブセットのおのおののＲＮＴＩがそれぞれ割り当てられたＵＥの第１のグループのうちの対応する１つをユニークに識別する第２の構成要素とから構成される。この典型的な方法はまた、ＲＮＴＩの第１のサブセット内の割り当てられたＲＮＴＩの第１の構成要素をブロードキャストすることによって、ＲＮＴＩの第１のサブセットを暗黙的にブロードキャストすることを含む。
【０００８】
典型的な実施形態はまた、基地局のコンピューティング・デバイスに対して、セル間干渉キャンセルを容易にする上述した典型的な方法のうちの何れかを実行させる、記録されたコンピュータ・プログラムを有するコンピュータ読取可能記録媒体を提供する。
【０００９】
典型的な実施形態はまた、セル間干渉キャンセルを容易にするように構成された少なくとも１つのプロセッサを有するコンピュータ処理デバイスを提供する。この少なくとも１つのプロセッサは、無線ネットワーク内の基地局によってサービス提供されている複数のＵＥのためのＲＮＴＩのセットを管理するように構成された第１のモジュールを含む。この少なくとも１つのプロセッサはまた、ＵＥが近隣セルのうちの少なくとも１つとの干渉を引き起こしそうであるかを、ＵＥの少なくとも１つの各属性に基づいて判定するように構成された第２のモジュールを含む。それに加えて、この少なくとも１つのプロセッサは、ＲＮＴＩのセットを、干渉を引き起こしそうであると第２のモジュールによって判定されたＵＥの少なくとも１つの第１のサブセットと、干渉を引き起こしそうであると第２のモジュールによって判定されなかったＵＥの少なくとも１つの第２のサブセットとに分割するように構成された第３のモジュールを含む。さらに、この少なくとも１つのプロセッサは、干渉を引き起こしそうであると判定されたＵＥを、ＲＮＴＩの少なくとも１つの第１のサブセットに割り当て、これによって、干渉を引き起こしそうであると判定されたＵＥがそれぞれ、ＲＮＴＩの少なくとも１つの第１のサブセット内のＲＮＴＩのうちの対応する１つが割り当てられるようにする第４のモジュールを含む。割り当てられたおのおののＲＮＴＩは、ＲＮＴＩがそれぞれ割り当てられているＵＥのうちの対応する１つをユニークに識別しうる。
【００１０】
典型的な実施形態は、セル間干渉キャンセルを容易にする典型的な装置を提供する。この典型的な装置は、無線ネットワーク内の基地局によってサービス提供されているＵＥ（ユーザ機器）のセットのためのＲＮＴＩ（リモート・ネットワーク・テンポラリ・アイデンティフィケーション）のセットを管理する手段と、ＵＥが少なくとも１つの近隣セルとの干渉を引き起こしそうであるかを、ＵＥの少なくとも１つの各属性に基づいて判定する手段とを含む。この典型的な装置はまた、ＲＮＴＩのセットを、干渉を引き起こしそうであると判定されたＵＥの少なくとも１つの第１のサブセットと、干渉を引き起こしそうであるとは判定されなかったＵＥの少なくとも１つの第２のサブセットとに分割する手段を含む。さらに、この典型的な装置は、干渉を引き起こしそうであると判定されたＵＥを、ＲＮＴＩの少なくとも１つの第１のサブセットに割り当て、これによって、干渉を引き起こしそうであると判定されたＵＥがそれぞれ、ＲＮＴＩの少なくとも１つの第１のサブセット内のＲＮＴＩのうちの対応する１つが割り当てられるようにする手段を含む。割り当てられたおのおののＲＮＴＩは、ＲＮＴＩがそれぞれ割り当てられたＵＥのうちの対応する１つをユニークに識別しうる。
【００１１】
典型的な実施形態は、セル間干渉キャンセルを容易にする典型的な装置を提供する。この典型的な装置は、無線ネットワーク内の複数のユーザ機器（ＵＥ）へコンテンツをブロードキャストするように構成された送信機を含む。送信機から送信されたコンテンツは、コンテンツが送信されるＵＥにそれぞれユニークであるＲＮＴＩを含んでいる。この典型的な装置はさらに、ＲＮＴＩ構成要素を含んでいる。これは、空間分割構成要素と、暗黙的ブロードキャスト構成要素とを含む。空間分割構成要素は、複数のＵＥのためのＲＮＴＩのセットを維持し、ＲＮＴＩのセットを、複数のＵＥの少なくとも１つの各属性に基づいて、複数のサブセットに分割するように構成されている。それに加えて、空間分割構成要素は、ＵＥの第１のグループにおけるＵＥの各属性に基づいて、複数のＵＥの第１のグループを、分割されたＲＮＴＩの第１のサブセットへ割り当て、これによって、ＵＥの第１のグループにおけるＵＥがそれぞれ、ＲＮＴＩの第１のサブセット内のＲＮＴＩのうちの対応する１つに割り当てられるようにするように構成される。ＲＮＴＩの第１のサブセット内の割り当てられたおのおののＲＮＴＩは、ＲＮＴＩの第１のサブセットをユニークに識別する第１の構成要素と、ＲＮＴＩの第１のサブセットの各ＲＮＴＩがそれぞれ割り当てられているＵＥの第１のグループのうちの対応する１つを、ユニークに識別する第２の構成要素とを含む。暗黙的ブロードキャスト構成要素は、ＲＮＴＩの第１のサブセット内の、割り当てられたＲＮＴＩの第１の構成要素をブロードキャストすることによって、送信機に対して、ＲＮＴＩの第１のサブセットを暗黙的にブロードキャストさせるように構成される。
【００１２】
典型的な実施形態は、無線ネットワークにおいて、端末によってサービス提供されるように構成されたユーザ機器（ＵＥ）を含む。この典型的なＵＥは、端末によってサービス提供されているセル内のＵＥをユニークに識別するために、ＵＥに割り当てられたＲＮＴＩ（ラジオ・ネットワーク・テンポラリ・アイデンティファイヤ）を受信し、端末からコンテンツを受信し、端末によってサービス提供されているセル内のＵＥとの干渉を引き起こしそうである少なくとも１つの近隣セル内のＵＥにそれぞれ割り当てられたＲＮＴＩのサブセットを受信する、ように構成された受信ユニットを含む。典型的なＵＥはまた、端末によってサービス提供されているセル内のＵＥとの干渉を引き起こし、しかも、受信されたＲＮＴＩのサブセット内の対応する１つが割り当てられている少なくとも１つの近隣セル内のＵＥのうち、少なくとも１つの干渉を引き起こしているＵＥを判定するために、少なくとも１つの近隣セルにおけるＵＥに割り当てられた、受信されたＲＮＴＩのサブセットをスキャンするように構成された処理ユニットを含む。さらに、典型的なＵＥは、判定されたＵＥによって引き起こされた干渉の緩和およびキャンセルのうちの少なくとも１つを開始するために、判定されたＵＥのアイデンティティを含む干渉通知信号を、端末、または、少なくとも１つの近隣セルにサービス提供している別の端末、のうちの少なくとも１つへ送信するように構成された送信ユニットを含む。
【図面の簡単な説明】
【００１３】
【図１】図１は、主題とする仕様の態様にしたがう典型的な多元接続無線通信システムを例示する。
【図２】図２は、主題とする仕様の態様にしたがう典型的な通信システムの一般的なブロック図を例示する。
【図３】図３は、主題とする仕様の態様にしたがう典型的な無線通信システムを例示する。
【図４】図４は、主題とする仕様の実施形態にしたがう典型的な無線通信システムを例示する。
【図５】図５は、主題とする仕様の少なくとも１つの実施形態にしたがう典型的な無線通信システムを例示する。
【図６】図６は、主題とする仕様の少なくとも１つの実施形態にしたがってセル間干渉キャンセルを容易にする方法の典型的な特徴を例示するフローチャートを示す。
【図７】図７は、主題とする仕様の少なくとも１つの実施形態にしたがってセル間干渉キャンセルを容易にする方法の典型的な特徴を例示するフローチャートを示す。
【図８】図８は、主題とする仕様にしたがって、１または複数の機能を自動化することを容易にする人工知能構成要素を適用する典型的なシステムを例示する。
【発明を実施するための形態】
【００１４】
本開示のさまざまな態様および典型的な実施形態が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１５】
本願で使用されるように、「構成要素」、「モジュール」、「システム」等のような用語は、限定される訳ではないが、例えば、ハードウェア、ファームウェア、ハードウェアとソフトウェアとの組み合わせのようなコンピュータ関連エンティティを含むことが意図されている。ソフトウェアは、（例えば、ＣＰＵのような）コンピューティング・デバイスのプロセッサによって実行された場合に、コンピューティング・デバイスに対して、ソフトウェアによって規定された動作を実行させるための、コンピュータ読取可能記録（格納）媒体に記録されたソフトウェアを含む。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１６】
さらに、本明細書では、さまざまな態様が、無線機能を備えた有線端末であるか、または、無線端末である端末に関連して説明されている。端末は、システム、デバイス、加入者ユニット、加入者局、移動局、モバイル、ＵＥ、基地局、遠隔局、遠隔端末、アクセス端末、ユーザ端末、端末、通信デバイス、ユーザ・エージェント、ユーザ・デバイス、または、本明細書で使用されているように、ユーザ機器（ＵＥ）とも称されうる。端末は、構成要素の一部でありうる。あるいは、構成要素が、端末の一部となりうる。ＵＥは、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。（マクロ・セル、ミクロ・セル、ピコ・セル、またはフェムト・セル基地局を含む）基地局は、無線端末（単数または複数）と通信するために利用され、アクセス・ポイント、ノードＢ、あるいはその他いくつかの用語で称されうる。
【００１７】
さらに、用語「または」は、排他的な「または」ではなく、包括的な「または」を意味することが意図されている。すなわち、特に指定されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによって満足される。ＸはＡを使用する。ＸはＢを使用する。あるいは、ＸはＡとＢとの両方を使用する。同様に、「〜のうちの少なくとも１つ」という句は、排他的な「または」ではなく包括的な「または」を意味することが意図される。すなわち、特に指定されていない場合、あるいは、文脈から明らかではない場合、「端末は、ＡおよびＢのうちの少なくとも１つに通信する」という文言は、以下のうちのいずれかによって満足される。端末が、Ａに通信する。端末が、Ｂに通信する。あるいは、端末が、ＡとＢとの両方に通信する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。本明細書で使用されるように、用語「手段」または句「〜する手段」は、本明細書に記載されたように指定された機能を実行する構成要素を含むことが意図される。構成要素の例は、本明細書では、以下に詳述する典型的な実施形態および添付図面の記述で述べられたような「手段」要素に関して記載される。本明細書で記載されたようなさまざまな手段要素は、さまざまな手段およびそれらの均等物に関して記載された構成要素を含む。
【００１８】
本明細書で記載された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００１９】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２０】
Ｉ．典型的なセルラ・アーキテクチャおよび動作
図１に示すように、本明細書に示されたさまざまな典型的な実施形態にしたがう無線通信システム１００が例示されている。システム１００は、複数のアンテナ・グループを含むことができる基地局１０２を含む。例えば、１つのアンテナ・グループは、アンテナ１０４、１０６からなる第１のセットを含むことができ、別のグループは、アンテナ１０８、１１０からなる第２の別のセットを備えることができ、さらに別のグループは、アンテナ１１２、１１４からなる第３のセットを含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連付けられた複数の構成要素（例えば、プロセッサ、変調器、マルチプレクサ、復調器、デマルチプレクサ、アンテナ等）を備えうる。
【００２１】
基地局１０２は、例えば第１のＵＥ１１６および第２のＵＥ１２２のような１または複数のＵＥと通信しうる。しかしながら、基地局１０２は、第１のＵＥ１１６および第２のＵＥ１２２に類似した実質的に任意の数のＵＥと通信しうることが認識されるべきである。第１のＵＥ１１６および第２のＵＥ１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００によって通信するためのその他任意の適切なデバイスでありうる。図示するように、第１のＵＥ１１６は、アンテナ１１２、１１４からなる第３のセットと通信している。ここで、アンテナ１１２、１１４からなる第３のセットは、第１の順方向リンク１１８で第１のＵＥ１１６に情報を送信し、第１の逆方向リンク１２０で第１のＵＥ１１６から情報を受信する。さらに、第２のＵＥ１２２は、アンテナ１０４、１０６からなる第１のセットと通信している。ここで、アンテナ１０４、１０６からなる第１のセットは、第２の順方向リンク１２４によって第２のＵＥ１２２へ情報を送信し、第２の逆方向リンク１２６によって第２のＵＥ１２２から情報を受信する。周波数分割デュプレクス（ＦＤＤ）システムでは、例えば、第１の順方向リンク１１８は、第１の逆方向リンク１２０によって使用されるものとは異なる周波数帯域を使用し、第２の順方向リンク１２４は、第２の逆方向リンク１２６によって使用されるものとは異なる周波数帯域を使用することができる。さらに、時分割デュプレクス（ＴＤＤ）システムでは、第１の順方向リンク１１８および第１の逆方向リンク１２０が、共通の周波数帯域を使用し、第２の順方向リンク１２４および第２の逆方向リンク１２６が、共通の周波数帯域を使用することができる。
【００２２】
通信するように指定された領域および／またはアンテナのおのおののグループは、基地局１０２のセクタと称され、さまざまなセクタが、単一の基地局１０２のためのセルを形成している。例えば、アンテナ・グループは、基地局１０２によってカバーされている領域のセクタ内のＵＥへ通信するように設計されうる。第１の順方向リンク１１８および第２の順方向リンク１２４による通信では、基地局１０２の送信アンテナは、第１のＵＥ１１６および第２のＵＥ１２２のための第１の順方向リンク１１８および第２の順方向リンク１２４の信号対雑音比を改善するために、ビーム・フォーミングを利用しうる。例えば、これは、所望の方向に信号を発信するプリコーダを用いることによって提供されうる。さらに、基地局１０２は、第１のＵＥ１１６および第２のＵＥ１２２に送信するためにビーム・フォーミングを利用している間、ビームは、関連付けられた有効通信範囲領域にわたってランダムに分散し、（例えば、マクロ・セル、ピコ・セル、および／または、フェムト・セルのような）近隣セル内のＵＥは、すべてのＵＥに対して単一のアンテナによって送信している基地局と比べて、少ない干渉しか被らない。さらに、第１のＵＥ１１６および第２のＵＥ１２２は、一例において、ピア・トゥ・ピアまたはアド・ホック技術を用いて互いにダイレクトに通信しうる。本明細書で使用されるように、セルがオーバラップしているか、部分的にオーバラップしているか、あるいは、互いに隣接しているかに関わらず、「近隣セル」は、マクロ・セル、ミクロ・セル、ピコ・セル、および／または、フェムト・セルのうちの１または複数でありうる。
【００２３】
図２は、複数入力複数出力（ＭＩＭＯ）システム２００における（アクセス・ポイントとしても知られている）送信機システム２１０および（アクセス端末としても知られている）受信機システム２５０のブロック図である。送信機システム２１０では、多くのデータ・ストリームのトラフィック・データが、データ・ソース２１２から送信機（ＴＸ）データ・プロセッサ２１４に提供される。
【００２４】
典型的な実施形態では、おのおののデータ・ストリームが、それぞれの送信アンテナを介して送信される。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、ＴＸデータ・プロセッサ２１４内のプロセッサ２３０によって実行される命令群によって決定される。
【００２６】
すべてのデータ・ストリームの変調シンボルは、（例えば、ＯＦＤＭのための）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。典型的な実施形態では、ＴＸ  ＭＩＭＯプロセッサ２２０は、データ・ストリームのシンボルへ、および、このシンボルの送信がなされるアンテナへ、ビーム・フォーミング重みを適用する。
【００２７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３０】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３１】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３２】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。プロセッサ２３０は、ビーム・フォーミング重みを決定するために、どの事前符号化行列を使用するかを決定し、その後、抽出されたメッセージを処理しうる。
【００３３】
ＩＩ．本開示の典型的なシステムおよび方法にしたがうＲＮＴＩ管理
図３は、多くのユーザをサポートするように構成された典型的な無線通信システム３００を例示しており、ここでは、開示されたさまざまな実施形態および本開示の態様が実現される。図３に示すように、一例として、システム３００は、例えばマクロ・セル３０２ａマクロ・セルのような複数のセル３０２のための通信を提供する。ここで、おのおののセルは、対応する基地局（ＢＳ）３０４（例えば、第１乃至７のＢＳ３０４ａ−３０４ｇ）によってサービス提供される。これらは、典型的なシステム３００における端末の例である。おのおののセルはさらに、（例えば、１または複数の周波数をサービス提供するために、）１または複数のセクタへ分割されうる。ユーザ機器（ＵＥ）あるいは移動局としても置換可能に知られており、第１乃至１１のＵＥ３０６ａ−３０６ｋを含むさまざまなＢＳ３０６が、システム全体にわたって分布している。ＵＥ３０６はおのおのの、例えば、ＵＥ３０６がアクティブであるか、および、ソフト・ハンドオフにあるかに依存して、所与の瞬間において、順方向リンク（ＦＬ）および／または逆方向リンク（ＲＬ）によって、１または複数のＢＳ３０４と通信することができる。無線通信システム３００は、広い地理的領域にわたってサービスをマクロ・セルができ、例えば、マクロ・セル３０２ａ−３０２ｇは、近隣の少数のブロックをカバーすることができる。
【００３４】
さらに、無線通信システム３００は、ヘテロジニアスなネットワークから構成されうる。ここでは、異なるＢＳ３０４が、異なる電力クラス、異なるアンテナ利得差等を有する。したがって、複数のＵＥ３０６がＢＳ３０４からほぼ同じ距離に位置している場所でさえも、ＢＳ３０４における受信電力は変動しうる。例えば、ヘテロジニアスなネットワークでは、例えば、（前述したような）複数のマクロ・セル、１または複数のピコ・セル、および、１または複数のフェムト・セルが存在しうる。ピコ・セルは、ヘビー・ユーザ・トラフィック等が存在する領域をカバーするように構成され、フェムト・セルは、例えば住宅や事務所のような小さな領域をカバーするように構成されうる。これは、セル間干渉をもたらしうる。例えば、第１のＵＥ３０６が、低電力のピコ・セルによってサービス提供されている場合、第１のＵＥ３０６は、例えば、マクロ・セルの高い送信強度によって、例えばマクロ・セルのような近隣セルから非常に強い干渉を受けうる。例えば、連続干渉計算（ＳＩＣ）、セル間干渉調整スケジューリング、アップリンクセル間干渉調整、および、例えばモバイル・デバイスのようなＵＥへの同期制御信号の送信のようなセル間干渉を緩和するさまざまなアプローチが存在する。
【００３５】
前述した例においてＵＥ３０６によって見られる干渉を最小化するために、ＵＥ３０６は、いくつかの干渉キャンセルを適用するように構成されうる。例えば、典型的な実施形態によれば、第１のＵＥ３０６が、マクロ・セルＢＳ３０４によってサービス提供され、ピコ・セルＢＳ３０４から強い干渉を受けており、第１のＵＥ３０６が、干渉を引き起こしている第２のＵＥ３０６に関するすべての情報を知っている場合、第１のＵＥ３０６は、干渉のインパクトを最小化するために、干渉キャンセルを適用しうる。しかしながら、干渉キャンセルを実行するために、第１のＵＥ３０６は、干渉を引き起こしている第２のＵＥ３０６のアイデンティティを知っている必要がある。一般に、干渉キャンセルのために必要な適切なＵＥ３０６情報は、第１のＵＥ３０６に対して利用可能ではない他のＲＳ３０４によってスケジュールされる。１つのオプションは、第１のＵＥ３０６が、ブラインド検出によって、第２のＵＥ３０６のアイデンティティの発見を試みることである。例えば、ＬＴＥ（ロング・ターム・イボリューション）では、おのおののＵＥ３０６が、少なくとも１つのユニークなＩＤ（例えば、ＲＮＴＩ）を有するだろう。おのおののＵＥ３０６はそれぞれ、１または複数のタイプのＲＮＴＩが割り当てられうる。例えば、ＵＥ３０６は、ＵＥ３０６がサービス提供されているセルにおける規則的な動的スケジューリングのためのセルＲＮＴＩ（Ｃ−ＲＮＴＩ）、サービス提供セルにおける半永続的スケジューリングのための半永続的スケジューリングＲＮＴＩ（ＳＰＳ−ＲＮＴＩ）、２つの近隣セル間を移行する（例えば、ハンドオフする）ＵＥ３０６のアイデンティフィケーションのためのテンポラリ・セルＲＮＴＩ（Ｔ−ＲＮＴＩ）、システム情報の送信および／または受信のためのシステム情報（ＳＩ−ＲＮＴＩ）、ページング情報の送信および／または受信のためにＵＥ３０６を識別するためのページングＲＮＴＩ（Ｐ−ＲＮＴＩ）、ランダム・アクセス応答においてＵＥ３０６を識別するためのランダム・アクセスＲＮＴＩ（ＲＡ−ＲＮＴＩ）等が割り当てられうる。いくつかの動作パラメータに関して、ＵＥ３０６をユニークに識別するために、その他のタイプのＲＮＴＩがＵＥ３０６に対して割り当てられうる。本開示は、本明細書に記載された特定のタイプのＲＮＴＩに限定されておらず、将来において開発されるどのＲＮＴＩも、本開示の技術に包含されるべきである。ＲＮＴＩ（単数または複数）は、ダウンリンク制御チャネルとしてのものを含む複数の目的のために、サービス提供セルおよびＵＥ３０６によって使用される。ここで、ＵＥ３０６は、ＲＮＴＩに基づいて、ダウンリンクがＵＥ３０６のために意図されていることを判定しうる。ＲＮＴＩは、（他のメカニズムと連携して）制御チャネルのさまざまなコンテンツをスクランブルするために使用されうる。その結果、ＲＮＴＩを有するＵＥ３０６のみが、コンテンツを復号しうる。言い換えれば、ＵＥ３０６に特有の制御コンテンツが存在する場合、ＵＥ３０６は、この制御コンテンツがＵＥ３０６のために意図されているかを判定するために、自身のＲＮＴＩを使用せねばならない。例えば、典型的な実施形態によれば、ＲＮＴＩは、ＢＳ３０４からＵＥ３０６へダウンリンク（ＤＬ）制御情報を送信するために使用されうる物理ダウンリンク制御チャネル（ＰＤＣＨ）で伝送される、例えば巡回冗長検査（ＣＲＣ）のような誤り検出コードをスクランブルおよび／またはマスクするために使用されうる。別の例として、ＲＮＴＩは、ユニキャスト送信のために、および、恐らくは、ＵＥ３０６へのページング情報の送信のために使用されうる物理ダウンリンク共有チャネル（ＰＤＳＣＨ）で伝送されるさまざまなコンテンツをスクランブルおよび／またはマスクするために使用されうる。
【００３６】
第１のＵＥ３０６は、さほど困難を伴うことなく近隣セルＩＤを判定しうる。しかしながら、第１のＵＥ３０６は、近隣セルがどのＵＥ３０６をスケジュールしているかを知らない。前述したように、第１のＵＥ３０６は、近隣セルがどのＵＥ３０６をスケジュールしているかを発見するために、ブラインド検出を実行しうる。しかしながら、これは、極めて非効率的であり、計算負荷が高くなりうる。例えば、ＲＮＴＩが、１６ビット（例えば、２１６の可能なＲＮＴＩ）を有している場合、力ずくでの検出ルーチンを行っている間、第１のＵＥ３０６は、送信されたＲＮＴＩの何れが、実際に干渉に関連しているのかを発見するために、近隣セルによって送信された、可能性のあるすべてのＲＮＴＩをスキャンするだろう。これは、計算負荷が高くなるであろう。前述の説明は単なる一例であり、当業者は、同じような例を容易に特定できるであろうことが認識されるべきである。例えば、セル間干渉は、ホモジニアスなネットワークにおける近隣のマクロ・セルから生じうる。
【００３７】
典型的な実施形態によれば、セル間干渉キャンセルを容易にするために、２つの可能な技術が提供される。例えば、本開示の典型的な実施形態は、以下にさらに詳述するように、ＲＮＴＩ空間が、複数のグループまたはサブセットに分割されうるか、および／または、ＵＥへ割り当てられたＲＮＴＩのすべてまたは一部が、暗黙的にブロードキャストされうる、ことを提供する。ＲＮＴＩベースの任意の適切な干渉のキャンセルまたは緩和のプロトコルは、本開示の技術から利益を得るであろう。
【００３８】
図４に移って、典型的な無線通信システム４００が、主題とするイノベーションの実施形態にしたがって示されている。この通信システム４００は、ユーザ機器（ＵＥ）の例である複数のモバイル・デバイス４０４にサービス提供する端末の例である基地局４０２を含む。さらに、基地局４０２は、送信機４０６およびＲＮＴＩ構成要素４０８を含んでいる。送信機４０６は、ＵＥ４０４とのダウンリンク（ＤＬ）送信のメカニズムを担当する。例えば、ＩＣ−ＲＮＴＩ  ＰＤＣＣＨを伝送するために、共通の探索空間が使用されうる。そして、ＰＤＣＣＨにおけるブラインド検出の数を維持または低減するために、ＩＣ−ＲＮＴＩ  ＰＤＣＣＨサイズが、共通の探索空間（フォーマット１Ａ、１Ｃ）内の他のＰＤＣＣＨと揃えられうる。ＰＤＳＣＨが、実際のＲＮＴＩを伝送するために使用されるべきである場合、リンク効率化のために、フォーマット１ＣタイプのＤＬリソース割当も同様に使用されうる。
【００３９】
ＲＮＴＩ構成要素４０８は、以前に議論されたように、干渉を緩和するために、ＵＥのためのＲＮＴＩを管理する。例えば、ＲＮＴＩ構成要素４０８は、基地局４０２によって現在サービス提供されているＵＥ４０４のセットのＲＮＴＩを管理しうる。ＲＮＴＩ構成要素４０８は、異なるタイプのＲＮＴＩそれぞれのために、異なるＲＮＴＩのセットを管理しうる。例えば、ＲＮＴＩ構成要素４０８は、例えばＣ−ＲＮＴＩ、ＳＲＳ−ＲＮＴＩ、Ｔ−ＲＮＴＩ、Ｓ−ＲＮＴＩ、Ｐ−ＲＮＴＩ、およびＲＡ−ＲＮＴＩのような複数のＲＮＴＩにそれぞれ対応する複数のＲＮＴＩのセットを管理しうる。典型的な実施形態によれば、ＲＮＴＩ構成要素４０８は、ＵＥ４０４のセットのためのＲＮＴＩのセット（単数または複数）を管理するための手段を構成しうる。
【００４０】
ＲＮＴＩ構成要素４０８は、少なくとも１つの近隣セル（例えば、マクロ・セル、ピコ・セル、および／または、フェムト・セル）との干渉（例えば、アップリンク干渉）を引き起こしそうであるか、および／または、基地局４０２が位置しているセル内で現在サービス提供されているおのおののＵＥ４０４のそれぞれの属性に基づいて、少なくとも１つの近隣セルからの干渉（例えば、ダウンリンク干渉）を受けそうであるか、を判定しうる。例えば、図４の例に関し、ＲＮＴＩ構成要素４０８は、基地局４０２によってサービス提供されているＵＥ４０４が、ＵＥ４１４がサービス提供されている近隣セルとの干渉を引き起こしそうであるかを判定し、および／または、ＵＥ４０４が、ＵＥ４１４がサービス提供されている近隣セルとの干渉を受けそうであるかを判定しうる。少なくとも１つの近隣セルとの干渉を引き起こしそうであるか、および／または、少なくとも１つの近隣セルから干渉を受けそうであるか、を判定するために、ＲＮＴＩ構成要素４０８によって使用されているＵＥ４０４の属性の例が、以下に記載される。典型的な実施形態によれば、ＲＮＴＩ構成要素４０８は、ＵＥ４０４が近隣セルとの干渉を引き起こしそうであるか、および／または、近隣セルからの干渉を受けそうであるかを判定する手段を構成しうる。
【００４１】
典型的な実施形態によれば、ＲＮＴＩ構成要素４０８は、ＵＥ４０４がそれぞれ近隣セルとの干渉を引き起こしそうであるか、および／または、近隣セルから干渉を受けそうであるかの判定に基づいて、おのおののＵＥ４０４を、「干渉ＵＥ」として、あるいは「非干渉ＵＥ」として指定しうる。ＵＥ４０４が近隣セルとの干渉を引き起こしそうであること、および／または、近隣セルから干渉を受けそうであることを、ＲＮＴＩ構成要素４０８が判定した場合、ＲＮＴＩ構成要素４０８は、ＵＥ４０４を、干渉ＵＥとして指定しうる。一方、ＵＥ４０４が、近隣セルとの干渉を引き起こすことはないであろうこと、および／または、近隣セルから干渉を受けることはないであろうことを、ＲＮＴＩ構成要素４０８が判定した場合、ＲＮＴＩ構成要素４０８は、ＵＥ４０４を、非干渉ＵＥとして指定しうる。ＵＥ４０４が近隣セルとの干渉を引き起こしそうであるとＲＮＩＴ構成要素４０８が判定した場合、ＵＥ４０４が同じ近隣セルから干渉を受けることもあるであろう。しかしながら、例えば、ＵＥ４０４が、近隣セルとの干渉を引き起こしそうである場合、ＵＥ４０４が、同じ近隣セルから干渉を受けるという状況も、受けることがないという状況もある。したがって、ＲＮＴＩ構成要素４０８は、ＵＥ４０４が近隣セルとの干渉を引き起こしそうであるか、および、ＵＥ４０４が近隣セルとの干渉を受けそうであるかにしたがって、ＵＥ４０４を個別に指定しうる。例えば、ＲＮＴＩ構成要素４０８は、（１）ＵＥ４０４が近隣セルとの干渉を引き起こしそうであるか、（２）ＵＥ４０４が近隣セルとの干渉を受けそうであるか、（３）ＵＥ４０４が近隣セルとの干渉を引き起こしそうもないか、および、（４）ＵＥ４０４が近隣セルとの干渉を受けそうもないか、の４つの個別の指定を提供しうる。この例では、ＵＥ４０４が指定カテゴリ（１）および／または（２）に指定されている場合、ＲＮＴＩ構成要素４０８は、ＵＥ４０４を「干渉ＵＥ」として指定するように構成されうる。一方、この例において、ＵＥ４０４が指定カテゴリ（３）および／または（４）に指定されている場合、ＲＮＴＩ構成要素４０８は、ＵＥ４０４を「非干渉ＵＥ」として指定するように構成されうる。指定パラメータは、基地局４０２が位置するサービス提供セルおよび／または一般的なセルラ・ネットワークにおけるさまざまな動作条件に適応するように修正可能でありうる。典型的な実施形態によれば、ＲＮＴＩ構成要素４０８は、ＵＥ４０４が近隣セルとの干渉を引き起こしそうであるか、および／または、近隣セルから干渉を受けそうであるかの判定に基づいて、おのおののＵＥ４０４を、干渉ＵＥまたは非干渉ＵＥとしてそれぞれ指定する手段を構成しうる。
【００４２】
図４に示すように、ＲＮＴＩ構成要素４０８は、空間分割構成要素４１０と、暗黙的ブロードキャスト構成要素４１２とを含む。空間分割構成要素４１０は、例えば、基地局４０２によってサービス提供されているおのおののＵＥ４０４のそれぞれの属性のようなさまざまな基準に基づいて、基地局４０２のＲＮＴＩを、複数のグループに分離、分割、あるいは、区分する。例えば、ＵＥ４０４がそれぞれ少なくとも１つの近隣セルとの干渉を引き起こしそうであるかのＲＮＴＩ構成要素４０８による判定に基づいて、空間分割構成要素４１０は、ＵＥ（単数または複数）４０４のために管理されたＲＮＴＩのセットを、近隣セルとの干渉を引き起こしそうであると判定されたＵＥ（単数または複数）４０４に関する少なくとも１つの第１のサブセット（例えば、サブセットＡ）に、および近隣セルとの干渉を引き起こしそうであるとは判定されなかったＵＥ（単数または複数）４０４に関する少なくとも１つの第２のサブセット（例えば、サブセットＢ）に分割しうる。この例において、ＲＮＴＩの分割されたセットのサブセットＡは、ＲＮＴＩに関連するセル間干渉キャンセル（ＩＣＩＣ）のサブセット（例えば、カテゴリ２）を構成しうる一方、ＲＮＴＩの分割されたセットのサブセットＢは、非ＩＣＩＣ関連のＲＮＴＩのサブセット（例えば、カテゴリ１）を構成しうる。典型的な実施形態によれば、ＩＣＩＣ関連のＲＮＴＩは、近隣セルとの干渉を引き起こしそうであるとしてＲＮＴＩ構成要素４０８によって判定されたＵＥ４０４に割り当てられうるＲＮＴＩである。一方、非ＩＣＩＣ関連のＲＮＴＩは、近隣セルとの干渉を引き起こすことがないであろうとしてＲＮＴＩ構成要素４０８によって判定されたＵＥ４０４に割り当てられうるＲＮＴＩである。例えば、前述したように、ＲＮＴＩ構成要素４０８は、例えばＣ−ＲＮＴＩやＳＰＳ−ＲＮＴＩのような異なるタイプのＲＮＴＩそれぞれのために、異なるＲＮＴＩのセットを管理しうる。例えば、サービス提供セルにおける基地局ＵＥ４０４におのおのＣ−ＲＮＴＩが割り当てられる場合、Ｃ−ＲＮＴＩは、ＵＥ４０４が、近隣セルとの干渉を引き起こしそうであるか（カテゴリ２）、または、近隣セルとの干渉を引き起こしそうではないか（カテゴリ１）に基づいて、ＵＥ４０４に割り当てられうる。ＲＮＴＩ構成要素４０８が、異なるタイプのＲＮＴＩそれぞれのために、異なるＲＮＴＩのセットを管理する場合、空間分割構成要素４１０は、異なるセットのＲＮＴＩのおのおのを、適切な数のサブセットにそれぞれ分割するように構成されうる。例えば、ＲＮＴＩ構成要素４０８が、サービス提供セル内のＵＥ４０４へそれぞれ割り当てられうるＳＲＳ−ＲＮＴＩのセットおよびＣ−ＲＮＴＩのセットを管理する場合、空間分割構成要素４１０は、Ｃ−ＲＮＴＩのセットを、１または複数のカテゴリ１のＣ−ＲＮＴＩのサブセットと、１または複数のカテゴリ２のＣ−ＲＮＴＩのサブセットとに分割し、空間分割構成要素４１０は、ＳＰＳ−ＲＮＴＩのセットを、１または複数のカテゴリ１のＳＰＳ−ＲＮＴＩのサブセットと、１または複数のカテゴリ２のＳＰＳ−ＲＮＴＩのサブセットとに分割する。あるいは、ＲＮＴＩ構成要素４０８が、異なるタイプのＲＮＴＩそれぞれのために、異なるＲＮＴＩのセットを管理する場合、空間分割構成要素４１０は、異なるＲＮＴＩのセットを、例えば、１または複数のカテゴリ１サブセットおよび１または複数のカテゴリ２サブセットのような、複数の共通サブセットへ分割するように構成されうる。例えば、ＲＮＴＩ構成要素４０８が、サービス提供セル内のＵＥ４０４にそれぞれ割り当てられたＣ−ＲＮＴＩのセットおよびＳＲＳ−ＲＮＩＴのセットを管理する場合、空間分割構成要素４１０は、ＳＲＳ−ＲＮＴＩおよびＣ−ＲＮＴＩのセットを、１または複数の共通のカテゴリ１サブセットに分割し、ＳＲＳ−ＲＮＴＩおよびＣ−ＲＮＴＩのセットを、１または複数の共通カテゴリ２サブセットに分割する。明瞭さのために、以下に、本開示の典型的な実施形態が説明される。ここでは、空間分割構成要素４１０が、一般に、ＲＮＴＩの単一のセットを、１または複数の基準に基づいて、複数の異なるサブセットに分割する。しかしながら、ＲＮＴＩ構成要素４０８が、異なるタイプのＲＮＴＩのために、異なるＲＮＴＩのセットを管理する場合、空間分割構成要素４１０は、異なるＲＮＴＩのセットを、１または複数のカテゴリ１サブセットと、１または複数のカテゴリ２サブセットへ分割するように構成されうることが理解されるべきである。ここでは、異なるサブセットが、異なるＲＮＴＩのセットのためにそれぞれ分割されるか、および／または、共通のサブセットが、異なるＲＮＴＩのセットのために分割されうる。典型的な実施形態によれば、空間分割構成要素４１０は、ＲＮＴＩ構成要素４０８によって管理されたＲＮＴＩのセット（単数または複数）を、ＲＮＴＩの少なくとも２つのサブセットまたはグループへ分割するための手段を構成しうる。
【００４３】
この典型的なシステムでは、ＲＮＴＩ空間を管理する多くの手法がある。例えば、カテゴリ１サブセットの数と、カテゴリ２サブセットの数とが、セルラ・システムをセットアップする場合に設定されたり、あるいは、基地局４０２によってサービス提供される個々のセルおよび／またはセルラ・システム全体における異なる動作条件に適合するように動的に調節されうる。セルラ・システム内のおのおののセルは、ＲＮＴＩ管理において一様でありうるか、または、設定されたセルと、動的に調節されたセルとの混成でありうる。例えば、時間１において、空間分割構成要素４１０は、近隣セルとの干渉を引き起こしそうであると判定されたＵＥ４０４について、ＲＮＴＩのセットを、例えば合計して４つのサブセット（サブセットＡ１−Ａ４）に分割し、近隣セルとの干渉を引き起こしそうであるとは判定されなかったＵＥについて、ＲＮＴＩのセットを、例えば合計して８つのサブセット（サブセットＢ１−Ｂ８）へ分割するように構成される。例えば、時間１の後の時間２において、ＲＮＴＩを再割当している間、ＲＮＴＩ構成要素４０８は、さらに多くの数のＵＥ４０４が、近隣セルとの干渉を引き起こしそうであると判定する。この判定に基づいて、空間分割構成要素４１０は、時間２において、ＲＮＴＩのセットを、干渉を引き起こしそうであるとＲＮＴＩ構成要素４０８によって判定されたＵＥ４０４について、例えば合計して６つのサブセット（サブセットＡ１−Ａ６）に分割し、干渉を引き起こしそうであるとＲＮＴＩ構成要素４０８によって判定されなかったＵＥ４０４について、例えば合計して３つのサブセット（サブセットＢ１−Ｂ３）に分割しうる。
【００４４】
空間分割構成要素４１０はまた、分割されたＲＮＴＩのサブセットのうちの対応する１つに、ＵＥを割り当てるように構成されうる。例えば、空間分割構成要素４１０は、干渉を引き起こしそうであると判定されたＵＥ４０４を、サブセットＡに割り当て、これによって、前述したように、干渉を引き起こしそうであると判定されたＵＥ４０４がそれぞれ、管理されたＲＮＴＩのサブセットＡに含まれるＲＮＴＩのうちの対応する１つを割り当てられるようにする。一方、空間分割構成要素４１０は、干渉を引き起こしそうであるとは判定されなかったＵＥ４０４を、管理されたＲＮＴＩのサブセットＢに割り当て、これによって、干渉を引き起こしそうであるとは判定されなかったＵＥ４０４がそれぞれ、管理されたＲＮＴＩのサブセットＢに含まれるＲＮＴＩのうちの対応する１つを割り当てられるようにする。ＲＮＴＩ構成要素４０８が、例えば、サービス提供セル内のＵＥ４０４への割当のために、例えばＣ−ＲＮＴＩのセットおよびＳＲＳ−ＲＮＴＩのセットのようなＲＮＴＩの複数のセットを管理しており、空間分割構成要素４１０が、これらＲＮＴＩの異なるセットを、異なるタイプのＲＮＴＩに基づいて異なるサブセットに分割する場合、空間分割構成要素４１０は、干渉を引き起こしそうであると判定されたＵＥ４０４を、サブセットＡＣ−ＲＮＴＩおよびサブセットＡＳＲＳ−ＲＮＴＩに割り当てうる。これによって、干渉を引き起こしそうであると判定されたＵＥ４０４はそれぞれ、Ｃ−ＲＮＴＩの管理されたセットのサブセットＡＣ−ＲＮＩＴに含まれるＣ−ＲＮＴＩのうちの対応する１つを割り当てられ、ＳＲＳ−ＲＮＴＩの管理されたセットのサブセットＡＳＲＳ−ＲＮＩＴに含まれるＳＲＳ−ＲＮＴＩのうちの対応する１つを割り当てられるようになる。一方、空間分割構成要素４１０は、干渉を引き起こしそうであるとは判定されなかったＵＥ４０４を、サブセットＢＣ−ＲＮＴＩおよびサブセットＢＳＲＳ−ＲＮＴＩに割り当てうる。これによって、干渉を引き起こしそうであるとは判定されなかったＵＥ４０４はそれぞれ、Ｃ−ＲＮＴＩの管理されたセットのサブセットＢＣ−ＲＮＩＴに含まれるＣ−ＲＮＴＩのうちの対応する１つを割り当てられ、ＳＲＳ−ＲＮＴＩの管理されたセットのサブセットＢＳＲＳ−ＲＮＩＴに含まれるＳＲＳ−ＲＮＴＩのうちの対応する１つを割り当てられるようになる。あるいは、ＲＮＴＩ構成要素４０８が、Ｃ−ＲＮＴＩおよびＳＲＳ−ＲＮＴＩのためにＲＮＴＩの異なるセットを管理する例では、空間分割構成要素４１０が、これらＲＮＴＩの異なるセットを、共通のサブセットに分割する場合、空間分割構成要素４１０は、干渉を引き起こしそうであると判定されたＵＥ４０４を、サブセットＡＣ−ＲＮＴＩおよびＳＲＳ−ＲＮＴＩに割り当て、これによって、干渉を引き起こしそうであると判定されたＵＥ４０４はそれぞれ、Ｃ−ＲＮＴＩの対応する１つ、およびサブセットＡＣ−ＲＮＴＩおよびＳＲＳ−ＲＮＴＩに含まれたＳＲＳ−ＲＮＴＩの対応する１つを割り当てられるようになる。一方、空間分割構成要素４１０は、干渉を引き起こしそうであるとは判定されなかったＵＥ４０４を、サブセットＢＣ−ＲＮＴＩおよびＳＲＳ−ＲＮＴＩに割り当て、これによって、干渉を引き起こしそうであるとは判定されなかったＵＥ４０４はそれぞれ、Ｃ−ＲＮＴＩの対応する１つと、サブセットＢＣ−ＲＮＴＩおよびＳＲＳ−ＲＮＴＩに含まれるＳＲＳ−ＲＮＴＩのうちの対応する１つとを割り当てられるようになる。
【００４５】
したがって、管理されたＲＮＴＩのセットを、少なくとも２つのグループまたはサブセットに分割し、その後、ＵＥ４０４を、ＲＮＴＩの分割されたサブセットのうちの適切な１つにそれぞれ割り当てることによって、空間分割構成要素４１０は、例えば、ＩＣＩＣ関連のＲＮＴＩのための第１のグループ（例えば、カテゴリ１）と、非ＩＣＩＣ関連のＲＮＴＩのための第２のグループ（例えば、カテゴリ２）のような２つのグループにＵＥ４０４を効果的に分割しうる。典型的な実施形態によれば、空間分割構成要素４１０は、１または複数の基準に基づいて、ＵＥ４０４の第１のグループを、ＲＮＴＩ構成要素４０８によって管理された分割されたＲＮＴＩの第１のサブセットへ割り当て、ＵＥ４０４の第２のグループを、ＲＮＴＩ構成要素４０８によって管理された分割されたＲＮＴＩの第２のサブセットへ割り当てる手段を構成しうる。前述した例では、空間分割構成要素４１０は、近隣セルとの干渉を引き起こしそうであると判定されたＵＥ４０４のグループを、分割されたＲＮＴＩのサブセットＡに割り当て、近隣セルとの干渉を引き起こしそうであるとは判定されなかったＵＥ４０４のグループを、分割されたＲＮＴＩのサブセットＢに割り当てた。したがって、ＵＥをＲＮＴＩのサブセットのうちの１つに割り当てるための基準の例は、基地局４０２によってサービス提供されているＵＥ４０４が、近隣セルとの干渉を引き起こしそうであるかということでありうる。
【００４６】
前述したように、空間分割構成要素４１０は、ＲＮＴＩのセットを、干渉を引き起こしそうであると判定されたＵＥ４０４の１または複数のサブセットへ、および、干渉を引き起こしそうであるとは判定されなかったＵＥ４０４の１または複数のサブセットへ分割しうる。これらサブセットはそれぞれ、予め定められた数のＵＥ４０４の割当に適応するように分割されうる。例えば、空間分割構成要素４１０は、ＲＮＴＩを、ＲＮＴＩ構成要素４０８によって干渉を引き起こしそうであると判定されたＵＥ４０４について、例えば、４つのサブセットへ分割しうる。ここで、これらサブセットのおのおのは、例えば、合計して５０のＵＥ４０４の割当を提供するだろう。この例において、分割されたサブセットのうちの最初の１つに、５０のＵＥ４０４が、割り当てられた場合、干渉を引き起こしそうであると判定された次の５０のＵＥ４０４が、分割されたサブセットのうちの第２の１つに割り当てられる等される。干渉を引き起こしそうであるとは判定されなかったＵＥ４０４のために分割されたサブセット（単数または複数）は、同様に、予め定められた数値割当制限を有しうる。空間分割構成要素４１０は、デフォルトで、干渉を引き起こしそうであるとは判定されなかったＵＥ４０４を、干渉を引き起こすことがないであろうＵＥのサブセットのうちの対応する１つに割り当てるように構成されうる。しかしながら、セルの動作条件に基づいて、適切である場合、空間分割構成要素４１０は、干渉を引き起こしそうであるとは判定されなかったＵＥ４０４のうちの１または複数を、干渉を引き起こしそうであると判定されたＵＥ４０４の１または複数のサブセットに割り当てうる。例えば、ＵＥ４０４が干渉を引き起こしそうであるかを判定するために使用される属性のうちの１つが、セル端部へのＵＥの近接の度合であり、特定のＵＥ４０４が現在、セルの端部に位置していないが、観察された動きに基づいて、このＵＥ４０４が、近い将来、セルの端部の近くに位置するかもしれないとＲＮＴＩ構成要素４０８が判定した場合、空間分割構成要素４１０は、干渉を引き起こしそうであると判定されたＵＥのサブセットへ、このＵＥ４０４を割り当てうる。
【００４７】
前述したように、空間分割構成要素４１０は、ＵＥ４０４のために管理されたＲＮＴＩのセット（単数または複数）を、おのおののＵＥ４０４のそれぞれの属性に基づいて分割しうる。例えば、複数のＵＥが、セルによってサービス提供されていないセルをモニタリングしているかもしれない。なぜなら、ＵＥ４０４は、送信または受信するいかなるデータも持っていない（例えば、ＵＥは非アクティブである）からである。おのおののＵＥ４０４のそれぞれのアクティビティ状態（例えば、アクティブか非アクティブか）は、ＵＥ４０４が近隣セルとの干渉を引き起こしそうであるか、および／または、近隣セルからの干渉を受けそうであるか、を判定するためのＵＥの属性の例である。さらに、ＵＥ４０４がサービス提供セルに近接している場合、ＵＥが他のセルにおいて引き起こす干渉の量は、本質的に非常に小さくなるであろう。例えば、基地局４０２に非常に近接しているＵＥ４０４は、低い電力で送信することができ、基地局４０２も同様に、低い電力でＵＥ４０４に信号を送信しうる。しかしながら、セル端部に近接しているＵＥ４０４は、基地局４０２へ送信するために高い電力を必要とするであろうから、干渉を引き起こす可能性はより高い。その結果、基地局４０２へ送信している場合、干渉（例えば、アップリンク干渉）を引き起こしうる。ＵＥ４０４がセル端部に近接している場合、基地局４０２によってサービス提供されているセルの端部において、ＵＥ４０４の位置に近い近隣セルの端部に位置するＵＥに、近隣セルにサービス提供している別のセルが高電力で送信しているのであれば、ＵＥ４０４は、近隣セルからの干渉（例えば、ダウンリンク干渉）をも受けうる。同様に、基地局４０２は、セル端部の近傍に位置するＵＥ４０４に、高電力で信号を送信しなければならないかもしれず、その結果、近隣セルに位置するＵＥ４１４は、基地局４０２から、セル端部に位置するＵＥ４０４への高電力送信によって引き起こされる干渉（例えば、ダウンリンク干渉）を受けうる。したがって、基地局４０２に対するＵＥ４０４のそれぞれの近接度と、基地局４０２が位置するサービス提供セルの端部に対するＵＥ４０４のそれぞれの近接度は、ＵＥ４０４が近隣セルとの干渉を引き起こしそうであるか、および／または、近隣セルからの干渉を受けそうであるかを判定するための、ＵＥ４０４のさらなる属性の例である。典型的な実施形態によれば、ＲＮＴＩ構成要素４０８は、基地局４０２に対してよりも、セルの端部に対してより近接している場合、近隣セルとの干渉を引き起こしそうであるか、および／または、近隣セルからの干渉を受けそうであるかを判定しうる。
【００４８】
ＲＮＴＩ構成要素４０８は、サービス提供セルの基地局４０２に対して地理的に近接していることを確証するために、ＵＥ４０４のその他の属性を判定しうる。例えば、ＲＮＴＩ構成要素４０８は、（ＵＥ４０４がＧＰＳトラッキング機能を装備している場合）ＵＥ４０４のＧＰＳ座標情報、他のＵＥ４０４の地理的位置に対するＵＥ４０４の三角測量、ＵＥ４０４から基地局４０２に送信された信号の強度、および／または、基地局４０２からＵＥ４０４に送信された信号の強度、に基づいて、特定のＵＥ４０４の地理的位置を判定しうる。それに加えて、ＲＮＴＩ構成要素４０８は、基地局４０２によってサービス提供されるセルの細分割に関してＵＥ４０４の地理的位置を判定しうる。例えば、セルのサービス領域が、基地局４０２の周囲の円にほぼ似ている場合、セルは、例えば、おのおののセクタが、セルの１／３に相当する（例えば、第１のセクタが、円の０°から１２０°の範囲を占め、第２のセクタが、円の１２１°から２４０°を占め、第３のセクタが、円の２４１°から３６０°を示す円）３つのセクタに分割されうる。セルの細分割されたセクタ内で判定されたＵＥ４０４の位置に基づいて、ＲＮＴＩの異なるセットが、セルの異なるセクタ内のＵＥへ割り当てられうる。さらに、セルの異なるセクタのために割り当てられたＲＮＴＩの異なるそれぞれのセット内では、空間分割構成要素４１０が、おのおののセクタに割り当てられたそれぞれのＲＮＴＩを、（１）干渉を引き起こしそうであると判定されたＵＥの１または複数のサブセット、および（２）干渉を引き起こしそうであるとは判定されなかったＵＥの１または複数のサブセットに分割しうる。例えば、上記の例にしたがってセルが３つのセクタに分割された場合、空間分割構成要素４１０は、第１のセクタのために管理されたＲＮＴＩの第１のセットを、（１）干渉を引き起こしそうであると判定された第１のセクタ内のＵＥ４０４の１または複数のサブセット、および、（２）干渉を引き起こしそうであるとは判定されなかった第１のセクタ内のＵＥ４０４の１または複数のサブセットに分割しうる。空間分割構成要素４１０は同様に、第２および第３のセクタのためにそれぞれ管理されたＲＮＴＩのセットを、（１）干渉を引き起こしそうであると判定されたＵＥ、および、（２）干渉を引き起こしそうであるとは判定されなかったＵＥのための個別のサブセットに分割しうる。本開示は、セルが、セルの角度分割に基づいて３セクタに分割される上記例に限定されない。セルは、異なるセクタへのセルの、所望されるあらゆる形式の分割を達成するように、任意の数のセクタに分割されうる。さらに、ＲＮＴＩのサブセットは、干渉を引き起こしそうであるか、および／または、干渉を受けそうであると判定された少なくとも１つのＵＥを含み、近隣セルにおけるＵＥは、サブセット全体にわたって移動しうるので、潜在的に干渉を引き起こすものとして、および／または、干渉を受けそうであるものとして、サブセット全体が指定されうる。しかし、これでも、ＩＣＩＣ判定において可能性のある全てのＲＮＴＩにわたって動作するよりも、計算負荷は高くないであろう。
【００４９】
さらなる例として、基地局４０２をモニタリングしている１０００のＵＥ４０４が存在し、これらＵＥ４０４のうちの９００が非アクティブであり、残りの１００のＵＥ４０４のうち、６０のＵＥ４０４が、基地局４０２の近くにあり、４０のＵＥ４０４が、セル端部の近くにあると仮定されたい。この例では、基地局４０２の近くにある６０のＵＥと、９００の非アクティブなＵＥとが、空間分割構成要素４１０によってカテゴリ１に割り当てられ、セル端部の近くの４０のＵＥ４０４が、カテゴリ２に割り当てられるだろう。さらに、空間分割構成要素４１０は、カテゴリを動的に更新しうる。例えば、非アクティブであったＵＥ４０４がアクティブになり、または、セル端部に近かったＵＥ４０４が基地局４０２により近くに移動しうる。
【００５０】
ＲＮＴＩ割当の動的な更新は、予め定められた任意の期間において生じうる。例えば、ＵＥ４０４が、基地局４０２によってサービス提供されているセルに新たに入った場合、ＵＥ４０４は、セルの端部にいるであろうから、ＲＮＴＩ構成要素４０８は、ＵＥ４０４が干渉を引き起こすか、および／または、干渉を受けるであろうと判定するように構成されうる。このＵＥ４０４が、ＲＮＴＩ割当（あるいは、再割当）のその後の繰り返しにおいて、基地局４０２に対してより接近していると判定された場合、ＲＮＴＩ構成要素４０８は、ＵＥ４０４がもはや干渉を引き起こすことも、および／または、干渉を受けることもないであろうことを、基地局４０２に対する地理的な位置の属性に基づいて判定しうる。そして、これにしたがって、空間分割構成要素４１０は、干渉を引き起こしそうであるとは判定されなかったＵＥ４０４について、ＲＮＴＩのサブセット（あるいは、サブセットのうちの１つ）に、このＵＥ４０４を割り当てうる。
【００５１】
ＲＮＴＩが動的に割り当てられる期間は、例えば、セル内の履歴使用パターン、セルにおいてサービス提供されているＵＥ４０４の数、セル内のトラフィック量等を含むさまざまな要因に基づきうる。例えば、サービス提供セルの端部が、ＵＥ４０４が通常通過している高速道路または鉄道線路の一部を含む場合、新たなＵＥ４０４のサービス提供セルへの導入に適合できるように、ＲＮＴＩの動的な割当が、より頻繁に生じるように構成されうる。典型的な実施形態によれば、カテゴリ１のサブセット（単数または複数）またはカテゴリ２のサブセット（単数または複数）に割り当てられたＵＥ４０４は、サービス提供セル内のＵＥのための新たな割当まで、同じサブセットに割り当てられ続けるだろう。例えば、ＵＥ４０４が、第１のＲＮＴＩ割当時において、サービス提供セルに新たに入り、新たに入るＵＥがセルの端部に位置していることから、ＲＮＴＩ構成要素４０８が、新たに入るＵＥが干渉を引き起こし、および／または、干渉を受けることがあるであろうと判定すると、空間分割構成要素４１０は、近隣セルとの干渉を引き起こしそうであると判定されたＵＥのためのサブセット（または、サブセットのうちの１つ）にＵＥ４０４を割り当てる。その後、ＵＥ４０４が、基地局４２０に対してより近く移動したものの、新たなＲＮＴＩ割当がまだ実行されていない場合、ＵＥ４０４は、新たな割当が実行されるまで、干渉を引き起こしそうであると判定されたＵＥのサブセット（または、サブセットのうちの１つ）に割り当てられ続けるだろう。ＵＥ４０４の動作属性が、前の割当から変化した場合、変化した動作属性を持つＵＥは、次の割当時において、他のカテゴリのサブセット（例えば、カテゴリ２のサブセットから、カテゴリ１のサブセット）に割り当てられうる。例えば、ＵＥ４０４が、ＲＮＴＩの最初の動的割当時において非アクティブ状態にあるために、干渉を引き起こしそうであるとは判定されなかったものの、その後、ＵＥ４０４が、（例えば、データを基地局４０２に送信することを試み、）アクティブになった場合、基地局４０２は、ＵＥ４０４のアクティビティ状態における変化を検出し、ＵＥ４０４の変化したアクティビティ状態に基づいて、ＲＮＴＩを動的に再割当しうる。
【００５２】
典型的な実施形態によれば、ＲＮＴＩ構成要素４０８は、例えば、基地局４０２と、ＵＥ４０４が到着した近隣セルにサービス提供する別の基地局との間でハンドオフが生じた場合のように、ＵＥ４０４がサービス提供セルに入った時、少なくとも１つのユニークなＲＮＴＩをＵＥ４０４に割り当てるように構成されうる。ＲＮＴＩ構成要素４０８は、ＵＥ４０４がサービス提供セル内に継続的に存在している全期間の間、ＵＥ４０４のために同じＲＮＴＩの割当を維持するように構成されうる。前述したように、ＵＥ４０４がまずセルに入ると、ＵＥ４０４は、干渉を引き起こしそうであると判定されたＵＥのために、ＲＮＴＩのサブセットに割り当てられうる。典型的な実施形態によれば、空間分割構成要素４１０は、ＲＮＴＩの割り当てられたサブセット全体の指定を、カテゴリ１指定とカテゴリ２指定との間で切り換えるように構成されうる。例えば、５０のＵＥ４０４が、干渉を引き起こしそうであると判定されたＵＥのＲＮＴＩサブセットに割り当てられた場合、ＲＮＴＩ構成要素４０８は、その後の割当（または、再割当）時において、５０のうちの予め定めた数のＵＥが、干渉を引き起こしそうであると判定しうる。この場合、空間分割構成要素４１０は、干渉を引き起こすことがないであろうＵＥを含むものとして以前に指定されたサブセット（すなわち、サブセット１）における５０のＵＥのおのおのを、干渉を引き起こしそうであると判定されたＵＥのサブセット（すなわち、カテゴリ２）として指定しうる。例えば、時間１において、ＲＮＴＩ構成要素４０８は、サービス提供セル内の１０００のＵＥ４０４が少なくとも１つの近隣セルとの干渉を引き起こすことはないであろうと判定し、空間分割構成要素４１０は、これら１０００のＵＥにそれぞれ割り当てられたＲＮＴＩを、干渉を引き起こしそうであるとは判定されなかったＵＥの別のＲＮＴＩサブセットに分割する。ここで、サブセットのおのおのは、例えば１００のＲＮＴＩを含む。次に、時間１の後の時間２において、ＲＮＴＩ構成要素４０８は、例えば、カテゴリ２のＲＮＴＩの１０のサブセット内の第３のサブセットに割り当てられた５つのＵＥが、少なくとも１つの近隣セルとの干渉を引き起こしそうであると判定されると仮定されたい。時間２におけるこの判定に基づいて、空間分割構成要素４１０は、以前にカテゴリ１サブセットとして、カテゴリ２サブセットとして指定された第３のサブセットを新たに指定するように構成されうる。その結果、１０のカテゴリ１サブセット内の第３のサブセットに割り当てられたＵＥ４０４のおのおのが、第３のサブセット内のＵＥを新たなサブセットに個別に割り当てることなく、新たにカテゴリ２サブセットとして指定されたサブセットに割り当てられうる。したがって、特定のカテゴリ１またはカテゴリ２のＲＮＴＩサブセットに対する個々のＵＥの割当を修正することに加えて、あるいは、その代わりに、空間分割構成要素４１０は、ＲＮＴＩのサブセット全体が、カテゴリ１サブセットに対応しているか、またはカテゴリ２サブセットに対応しているかの指定を動的に修正しうる。
【００５３】
ＲＮＴＩのセットを、１または複数のカテゴリ１サブセットおよび１または複数のカテゴリ２サブセットに分割する際、および、ＵＥをこれらサブセットのうちの１つに割り当てる際における上述した技術のうちの何れかは、基地局４０２、ＲＮＴＩ構成要素４０８、およびＵＥの処理構成要素の相対的な計算電力に依存して、個別に、あるいは、組み合わせて使用されうる。
【００５４】
管理されたＲＮＴＩのセットをサブセットに分割すること、および、ＵＥ４０４を、これら分割されたＲＮＴＩのサブセットのうちの１つにそれぞれ割り当てることを行うことによってＵＥ４０４をカテゴリに分割することで、基地局４０２によってサービス提供されていないＵＥ４１４が、基地局４０２のスケジューリングをより効率的にスキャンし、モニタし、あるいはチェック（例えば、ブラインド検出）できるようになる。
【００５５】
例えば、ＵＥ４１４は、どのＵＥ４０４が、近隣セル（例えば、マクロ・セル、ピコ・セル、および／または、フェムト・セル）内のＵＥ４１４に干渉を引き起こしているのかを判定することを試みる。そして、ＵＥ４１４は、干渉を引き起こす可能性があるとして指定された（例えば、カテゴリ２の）ＵＥ４０４に属するＲＮＴＩしかスキャンする必要がない。例えば、典型的な実施形態によれば、基地局４０２の送信機４０６は、ＵＥ４１４が、ＲＮＴＩのサブセットＡをスキャン、モニタ、あるいはチェック（例えば、ブラインド検出）し、どのＵＥ４０４が、ＵＥ４０４にサービス提供しているセル内のＵＥ４１４に干渉を引き起こしているのかを検出できるようにするために、干渉を引き起こしそうであると判定されたＵＥ４０４に割り当てられたＲＮＴＩのサブセットＡを、ＵＥ４１４へブロードキャストしうる。この例によれば、ＵＥ４１４は、干渉を引き起こしそうであると判定されたＵＥに割り当てられたＲＮＴＩのサブセットＡをスキャンするので、その結果、ＵＥ４１４は、非現実的である、近隣セル内のＵＥのおのおのに割り当てられたＲＮＴＩを連続的にスキャンする、という必要はなくなる。基地局４０２の送信機４０６は、例えば、分割されたＲＮＴＩのサブセットＡを、ＵＥ４１４にサービス提供している別の基地局へ通信し、この基地局が、分割されたＲＮＴＩの、受信したサブセットＡを、ＵＥ４１４へブロードキャストすることによって、分割されたＲＮＴＩのサブセットＡを、要求に応じて、ＵＥ４１４へ非ダイレクトに、あるいは、ダイレクトにブロードキャストしうる。同様に、基地局４０２は、基地局４０２によってサービス提供されているセル内の１または複数のＵＥ４０４と干渉を引き起こしそうな、近隣セル内のＵＥ４１４に割り当てられたＲＮＴＩを受信しうる。また、基地局４０２は、干渉を引き起こしているＵＥ４１４のＲＮＴＩを、近隣セルからの干渉を受けそうであると判定されたサービス提供セル内の１または複数のＵＥ４１４へブロードキャストしうる。
【００５６】
さらに、基地局４０２の送信機４０６は、割り当てられたＲＮＴＩのサブセットを、空間分割構成要素４１０によってＲＮＴＩのサブセットが割り当てられたＵＥのうちの対応する１つに、物理ダウンリンク制御チャネル（ＰＤＣＣＨ）または物理ダウンリンク共有チャネル（ＰＤＳＣＨ）によってブロードキャストしうる。割り当てられたＲＮＴＩを、ＲＮＴＩがそれぞれ割り当てられた特定のＵＥ４０４へブロードキャストすることで、対応するＵＥに、ダウンリンクが向けられていることを通知しうる。典型的な実施形態によれば、割り当てられたＲＮＴＩは、対応するＵＥのための制御チャネルを構成しうる。さらに、前述したように、制御チャネルのコンテンツが、スクランブルおよび／またはマスクされ、ＲＮＴＩが割り当てられたＵＥ４０４のみが、割り当てられたＲＮＴＩを用いてコンテンツを復号できるようになる。
【００５７】
暗黙的ブロードキャスト構成要素４１２は、グループ・インデクスを含めるために、ＲＮＴＩ空間のうちの少なくとも一部をセグメント化しうる。ＵＥに割り当てられたＲＮＴＩは、ＵＥがメンバであるグループをユニークに識別する第１の構成要素と、ＲＮＴＩが割り当てられたＵＥをユニークに識別する第２の構成要素とを含みうる。例えば、暗黙的ブロードキャスト構成要素４１２は、ＵＥ４０４を１２のグループ（例えば、分割されたＲＮＴＩのサブセット）に分離しうる。ここで、ＲＮＴＩは、１６ビットからなり、最初の１２ビットは、グループをユニークに識別するために使用されうる。したがって、この例によれば、おのおののグループは、２４の可能な識別子のみを含むだろう。これらは、ＵＥ４１４が、干渉を引き起こしているＵＥ４０４を検出することを明らかに容易にするだろう。例えば、暗黙的ブロードキャスト構成要素４１２は、最初の１２ビット（すなわち、ＲＮＴＩの第１の構成要素）をブロードキャストし、近隣セルに対して、近隣セルに干渉を引き起こしているＵＥ４０４が存在しているグループを通知する。そして、ＵＥ４１４は、１６（例えば、２４）の可能性のみを探索するだけでよいだろう。この場合、ＲＮＴＩ空間のディメンションは、Ｎ１＝２１６である。この空間は、Ｍ１個のグループへ体系化され、ディメンションのおのおのはＮ１／Ｍ１である。ブロードキャストされたＲＮＴＩは、グループ・インデクスである。Ｍ１（および、すなわちＮ１／Ｍ１）の選択は、システム・オーバヘッドと、ＵＥ複雑さとのトレードオフである。例えば、ＲＮＴＩ全体に備えられたビット数、および／または、ＲＮＴＩの第１の構成要素と第２の構成要素に備えられたビット数は、増加または減少されたＵＥ４０４数に適応するように増加または減少されうる。ＲＮＴＩのみならず、ＲＮＴＩの第１の構成要素および第２の構成要素に備えられたビット数は、セルラ・ネットワーク全体および／またはサービス提供セルの動作条件における変化に適応するように設定、あるいは、動的に変更されうる。例えば、特定のサービス提供セルにおけるＵＥ４０４に割り当てられうるＲＮＴＩの合計数は、サービス提供セルにおけるＵＥ４０４の増加数または減少数に適応するための理論的限界（例えば、２１６から２８）から制限されうる。したがって、本開示は、ＲＮＴＩが１６ビットで構成される上記例に限定されない。典型的な実施形態によれば、暗黙的ブロードキャスト構成要素４１２は、ＲＮＴＩのサブセットおよび／またはグループ内の割り当てられたＲＮＴＩの第１の構成要素をブロードキャストすることによって、ＲＮＴＩのサブセットおよび／またはグループを暗黙的にブロードキャストする手段を構成しうる。
【００５８】
それに加えて、あるいは、その代わりに、空間分割構成要素４１０および暗黙的ブロードキャスト構成要素４１２は、連携して動作しうる。例えば、空間分割構成要素４１０によってカテゴリ２（例えば、分割されたＲＮＴＩのサブセットＡ）に未だに割り当てられている多くのＵＥ４０４が存在しうる。この場合、ＵＥ４１４がブラインド検出を試みるのに非常に非効率的となりうる。したがって、暗黙的ブロードキャスト構成要素４１２は、ディメンションをさらに低減するために、空間分割構成要素４１４またはソフト・ポリシー技術と連携して動作しうる。この場合、ＲＮＴＩ空間のディメンションは、例えば、Ｎ２＜Ｎ１＝２１６である。低減されたディメンションは、Ｎ２が上述したカテゴリ２のディメンションに対応する場合、ＲＮＴＩ空間分割によるか、あるいは、「ソフト・ポリシー」ＲＮＴＩ割当による。繰り返すが、空間は、Ｍ２個のグループへ体系化され、ディメンションのおのおのはＮ２／Ｍ２である。ブロードキャストされたＲＮＴＩは、グループ・インデクスである。Ｍ２（および、すなわちＮ２／Ｍ２）の選択は、システム・オーバヘッドと、ＵＥ複雑さとのトレードオフである。例えば、図４に示すように、空間分割構成要素４１０がＵＥ４０４の第１のグループ（例えば、サービス提供セルの端部の近傍に位置するＵＥ４０４）を、分割されたＲＮＴＩのサブセットＡに割り当て、ＵＥ４０４の第２のグループ（例えば、基地局４０２の近傍に位置するＵＥ４０４）を、分割されたＲＮＴＩのサブセットＢに割り当てた場合、暗黙的ブロードキャスト構成要素４１２は、サブセットをユニークに識別するサブセットＡの第１の構成要素をブロードキャストすることによって、分割されたＲＮＴＩのサブセットＡを暗黙的にブロードキャストしうる。前述の説明は単なる数例を示すのみであり、当業者は、同じような例を容易に識別できるであろうことが認識されるべきである。例えば、前述された技術は、ダウンリンク通信に限定されず、アップリンク通信にも同様に適用されうる。
【００５９】
前述したように、ＲＮＴＩに備えられたビット数は、１６ビットに限定されず、サービス提供セル内に存在するＵＥ４０４の増加量または減少量に適応するように動的に調節されうる。同様に、ＲΝＴＩ構成要素４０８は、セルラ・ネットワーク全体および／またはサービス提供セルの動作条件における変化に適用するために、および、サービス提供セル内の干渉を引き起こしているＵＥの、同じサービス提供セル内および／または近隣セル内における別のＵＥによる検出を容易にするために、ＲＮＴＩの第１の構成要素および第２の構成要素において備えられるビット数を動的に調節しうる。例えば、ＲＮＴＩが１６ビットから構成される場合、特定のグループ（例えば、分割されたサブセット）を識別するための、ＲＮＴＩの第１の構成要素は、１２ビットであり、ＲＮＴＩが割り当てられたＵＥ４０４をユニークに識別するための第２の構成要素は、４ビットである。この場合、暗黙的ブロードキャスト構成要素４１２が、ＲＮＴＩの第１の構成要素をブロードキャストし、近隣セル内のＵＥ４１４は、干渉を引き起こしているＵＥ４０４を探索するために、１６（例えば、２４）の可能性しか探索する必要がない。ＵＥ４１４が、干渉を引き起こしているＵＥ４０４を、暗黙的にブロードキャストされたＲＮＴＩに基づいて判定するために探索せねばならないＵＥ４０４の数を低減するために、ＲＮＴＩ構成要素４０８は、第２の構成要素に備えられるビット数を、例えば、４ビットから３ビットに低減しうる。この場合、近隣セル内のＵＥ４１４は、干渉を引き起こしているＵＥ４０４を判定するために、８（例えば、２３）の可能性を探索する必要があるであろう。ＵＥ４０４（例えば、カテゴリ２サブセットに割り当てられたＵＥ）のグループにおいて、干渉を引き起こす可能性のあるＵＥが１６よりも多く存在する場合、ＲＮＴＩ構成要素４０８は、同様に、暗黙的ブロードキャスト構成要素４１２が、ＲＮＴＩの第１の構成要素をブロードキャストした場合に識別されうる、干渉を引き起こす可能性のあるより多くの数のＵＥ４０４に適応するために、ＲＮＴＩの第２の構成要素に備えられるビット数を増加しうる。第１の構成要素に備えられるビット数はまた、特定のグループ内のＵＥ４０４の増加数または減少数に適応するために、動的に調節されうる。したがって、ＲＮＴＩ全体に備えられたビット数、ＲＮＴＩの第１の構成要素に備えられたビット数、および、ＲＮＴＩの第２の構成要素に備えられたビット数は、サービス提供セルおよび／またはセルラ・システム全体における異なる動作条件に適合するように動的に調節されうる。
【００６０】
図５は、主題とするイノベーションの態様にしたがう無線通信システムの例を図示する。通信システム５００は、サービス提供基地局５０４および近隣基地局５０６と通信するＵＥ５０２を含む。。ＵＥ５０２は、基地局５０４、５０６からのダウンリンク通信を受信するメカニズムを担当する受信機５０８を含む。
【００６１】
それに加えて、ＵＥ５１０はＲＮＴＩ構成要素５１０を含む。これは、ＵＥ５１０に備えられた処理ユニットの例である。処理ユニットは、例えば、コンピュータ読取可能命令群を実行するように構成されたコンピュータ・プロセッサ、および／または、ＵＥ５１０のコンピュータ読取可能記録媒体に記録されたコンピュータ読取可能プログラムを含みうる。ＲＮＴＩ構成要素５１０は、ＵＥ５０２の干渉の原因であるＵＥのアイデンティティを判定しうる。ここで、ＵＥ５０２は、干渉を引き起こしているＵＥのアイデンティティを発見すると、セル間干渉キャンセルを適用しうる。例えば、ＲＮＴＩ構成要素５１０は、近隣の基地局５０６が、（前述したような）空間分割および／または暗黙的なブロードキャストを適用しているかを判定し、この判定に基づいて、必要な動作を講じうる。例えば、近隣の基地局５０６が、空間分割および暗黙的なブロードキャストを適用してると判定されると、ＵＥ５０２は、（ｉ）干渉を引き起こしているＵＥに割り当てられたＲＮＴＩの割り当てられたサブセット、および／または、（ｉｉ）干渉を引き起こしているＵＥに割り当てられた暗黙的にブロードキャストされたＲＮＴＩにしたがって、近隣の基地局５０６によってサービス提供されている、干渉を引き起こしているＵＥのアイデンティティを判定しうる。その後、ＵＥ５０２は、干渉の通知と、干渉を引き起こしているＵＥのアイデンティティとを、近隣の基地局５０６へ送信しうる。近隣の基地局５０６は、例えば、干渉を引き起こしているＵＥの制御チャネルを調節することのような、修正策を講じる。
【００６２】
図６は、本開示の少なくとも１つの実施形態にしたがって、無線ネットワークにおけるセル間干渉キャンセルを容易にする典型的な方法を例示する。ステップＳ６０２では、例えば図４に例示された基地局４０２のような無線ネットワークの端末が、例えば、無線ネットワーク内の端末によってサービス提供されているＵＥ（例えば、図４に例示されたＵＥ４０４）のセットのためのＲＮＴＩのセットを管理する。ステップＳ６０４では、この端末は、前述した典型的な技術にしたがって、ＵＥの少なくとも１つのそれぞれの属性に基づいて、ＵＥが、少なくとも１つの近隣セルとの干渉を引き起こしそうであるかを判定する。ステップＳ６０４における判定に基づいて、端末は、ＲＮＴＩのセットを、干渉を引き起こしそうであると判定されたＵＥの少なくとも１つの第１のサブセット（例えば、サブセットＡ）と、干渉を引き起こしそうであるとは判定されていないＵＥの少なくとも１つの第２のサブセット（例えば、サブセットＢ）とに分割する。ステップＳ６０８では、端末は、干渉を引き起こしそうであると判定されたＵＥを、ＲＮＴＩの少なくとも１つの第１のサブセットに割り当てる。これによって、干渉を引き起こしそうであると判定されたＵＥはそれぞれ、ＲＮＴＩの少なくとも１つの第１のサブセット内のＲＮＴＩのうちの対応する１つを割り当てられるようになる。ステップＳ６０９では、端末は、干渉を引き起こしそうであるとは判定されなかったＵＥを、ＲＮＴＩの少なくとも１つの第２のサブセットに割り当てる。これによって、干渉を引き起こしそうであるとは判定されなかったＵＥはそれぞれ、ＲＮＴＩの少なくとも１つの第２のサブセット内のＲＮＴＩのうちの対応する１つを割り当てられるようになる。例示を明瞭にするために、ステップＳ６０８およびステップＳ６０９は、異なるステップとして図示されている。しかしながら、ステップＳ６０８およびステップＳ６０９は同時に実行されうる。あるいは、ステップＳ６０８およびステップＳ６０９は、任意の連続順に実行されうる。
【００６３】
図７は、本開示の少なくとも１つの実施形態にしたがって、無線ネットワークにおけるセル間干渉キャンセルを容易にする別の典型的な方法を例示する。ステップＳ７０２では、例えば図４に例示された基地局４０２のような無線ネットワークの端末が、例えば、無線ネットワーク内の端末によってサービス提供されているＵＥ（例えば、図４に例示されたＵＥ４０４）のセットのためのＲＮＴＩのセットを管理する。ステップＳ７０４では、端末は、ＲＮＴＩのセットを、少なくとも２つのサブセット（例えば、サブセットＡとサブセットＢ）に分割する。ステップＳ７０６では、端末は、少なくとも１つの基準に基づいて、分割された複数のサブセット内の第１のサブセットに、ＵＥの第１のグループを割り当てる。これによって、ＵＥの第１のグループにおけるＵＥはそれぞれ、ＲＮＴＩの第１のサブセット内のＲＮＴＩのうちの対応する１つが割り当てられるようになる。例えば、ＵＥの第１のグループは、近隣セルとの干渉を引き起こしそうであると判定されたＵＥを含みうる。典型的な実施形態によれば、ＲＮＴＩの第１のサブセット内の割り当てられたＲＮＴＩはおのおのの、ＲＮＴＩの第１のサブセットをユニークに識別する第１の構成要素と、ＲＮＴＩの第１のサブセットの各ＲＮＴＩがそれぞれ割り当てられたＵＥの第１のグループのうちの対応する１つをユニークに識別する第２の構成要素とから構成される。ステップＳ７０８では、端末は、前述した典型的な技術のうちの何れかにしたがって、ＲＮＴＩの第１のサブセット内の割り当てられたＲＮＴＩの第１の構成要素をブロードキャストすることによって、ＲＮＴＩの第１のサブセットを暗黙的にブロードキャストする。
【００６４】
図８は、主題とするイノベーションの典型的な実施形態にしたがって１または複数の機能の自動化を容易にする人工知能（ＡＩ）構成要素６０２を、上述した構成要素に加えて適用する基地局４０２を例示する。（例えば、推論に関連する）主題とするイノベーションは、さまざまな態様を実行するためのＡＩベースのさまざまなスキームを適用しうる。
【００６５】
分類とは、入力属性ベクトルｘ＝（ｘ１、ｘ２、ｘ３、ｘ７、ｘｎ）を、その入力がクラス（ｃｌａｓｓ）に属する信頼度（ｃｏｎｆｉｄｅｎｃｅ）にマップする、すなわち、ｆ（ｘ）  ＝  ｃｏｎｆｉｄｅｎｃｅ（ｃｌａｓｓ）とする機能である。このような分類は、自動的に実行されることをユーザが希望する動作を予測または推論するために、（例えば、分析ユーティリティおよびコストを要因に含めた）確率論および／または統計学に基づく分析を適用しうる
サポート・ベクトル・マシン（ＳＶＭ）は、適用されうる分類器の一例である。ＳＶＭは、可能な入力スペースにおける超曲面（ｈｙｐｅｒｓｕｒｆａｃｅ）を見つけることによって動作する。超曲面は、トリガされていないイベントから、トリガ・イベントを分けることを試みる。これは、直観的に、近くにあるが学習データと同一ではないデータをテストする分類を正しくする。その他の直接的および間接的なモデル分類アプローチは、例えば、ナイーブ・ベイズ・ネットワーク、ベイジアン・ネットワーク、判断ツリー、ニューラル・ネットワーク、ファジー論理モデル、および確率論的分類モデルを含んでおり、独立した別のパターンが適用される。さらに本明細書で使用される分類はまた、優先度モデルを開発するために利用される統計的な回帰をも含む。
【００６６】
主題とする仕様から容易に認識されるだろうが、主題とする方法は、（例えば、一般的な学習データによって）明示的に学習されているのみならず、（例えば、ユーザの挙動を観察したり、付帯的な情報を受信することによって）暗黙的に学習されうる。例えば、ＳＶＭは、分類器製造者および機能選択モジュールにおける学習フェーズによって設定される。したがって、分類器（単数または複数）は、限定される訳ではないが、予め定めた基準にしたがって、以前に推論されたスキーマをいつ更新または改良するか、処理されているデータの種類に基づいて推論アルゴリズムに関する基準をいつ厳しくするか、および、厳しい基準管理を何日の何時（例えば、システム・パフォーマンスがあまりインパクトを受けない場合には、夕方）に実行するか、を判定することを含む多くの機能を自動的に学習し実行するために使用されうる。
【００６７】
本明細書で開示された実施形態に関連して記述されたさまざまな例示的なロジック、論理ブロック、モジュール、回路、および方法ステップは、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現することも可能である。それに加えて、少なくとも１つのプロセッサは、上述したステップおよび／または動作のうちの１または複数を実行するように動作可能な１または複数のモジュールを備えうる。
【００６８】
それに加えて、前述したように、本開示の典型的な実施形態はまた、無線ネットワークにおけるセル間干渉を容易にする方法をも提供する。本開示の典型的な方法は、上述した典型的なシステムに関して例示された構成要素のさまざまな動作機能を実行しうる。例えば、本開示の典型的な実施形態は、セル間干渉キャンセルを容易にする方法を提供する。ここで、この方法は、図１乃至５に例示された無線通信システム１００、２００、３００、４００、および５００の前述した機能のみならず、図６に例示された基地局４０２の機能に対応する動作ステップを備える。
【００６９】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００７０】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００７１】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］
無線ネットワークにおけるセル間干渉キャンセルを容易にする方法であって、
前記無線ネットワーク内の端末によってサービス提供されているユーザ機器（ＵＥ）のセットのためのＲＮＴＩ（ラジオ・ネットワーク・テンポラリ・アイデンティフィファイヤ）のセットを、前記無線ネットワークの端末において管理することと、
前記ＵＥが、少なくとも１つの近隣セルとの干渉を引き起こしそうであるかを、前記端末において、前記ＵＥの少なくとも１つの各属性に基づいて判定することと、
前記端末において、前記ＲＮＴＩのセットを、干渉を引き起こしそうであると判定されたＵＥの少なくとも１つの第１のサブセットと、干渉を引き起こしそうであるとは判定されなかったＵＥの少なくとも１つの第２のサブセットとに分割することと、
前記干渉を引き起こしそうであると判定されたＵＥを、前記端末において、前記ＲＮＴＩの少なくとも１つの第１のサブセットに割り当てることと、これによって、前記干渉を引き起こしそうであると判定されたＵＥはそれぞれ、前記ＲＮＴＩの少なくとも１つの第１のサブセット内のＲＮＴＩのうちの対応する１つを割り当てられるようになり、前記割り当てられたおのおののＲＮＴＩが、前記ＵＥのうちの対応する１つをユニークに識別できるようになる、
を備える方法。
［Ｃ２］
前記割り当てられたＲＮＴＩを、前記少なくとも１つの近隣セルにおいてサービス提供されている少なくとも１つのＵＥへ通信することをさらに備えるＣ１に記載の方法。
［Ｃ３］
前記少なくとも１つの近隣セルとの干渉を引き起こしそうであると判定されたＵＥにサービス提供している端末が、前記割り当てられたＲＮＴＩを、前記少なくとも１つの近隣セルに通信し、前記少なくとも１つの近隣セルが、前記割り当てられたＲＮＴＩを、前記少なくとも１つの近隣セルにおいてサービス提供され、前記複数のＲＮＴＩのうちの対応する１つを割り当てられたＵＥのうちの少なくとも１つへの送信から干渉を受けている少なくとも１つのＵＥへ通信する、Ｃ２に記載の方法。
［Ｃ４］
前記少なくとも１つの近隣セルとの干渉を引き起こしそうであると判定されたＵＥにサービス提供している端末が、前記割り当てられたＲＮＴＩを、前記少なくとも１つの近隣セルに通信する、Ｃ１に記載の方法。
［Ｃ５］
セルＲＮＴＩ（Ｃ−ＲＮＴＩ）、半永続的スケジューリングＲＮＴＩ（ＳＰＳ−ＲＮＴＩ）、テンポラリ・セルＲＮＴＩ（Ｔ−ＲＮＴＩ）、システム情報ＲＮＴＩ（ＳＩ−ＲＮＴＩ）、ページングＲＮＴＩ（Ｐ−ＲＮＴＩ）、およびランダム・アクセスＲＮＴＩ（ＲＡ−ＲＮＴＩ）からなるグループから選択される複数のＲＮＴＩにそれぞれ対応するＲＮＴＩの複数のセットを、前記端末において管理することと、
前記端末において、前記ＲＮＴＩの複数のセットを、干渉を引き起こしそうであると判定されたＵＥの少なくとも１つの第１のサブセットと、干渉を引き起こしそうであるとは判定されなかったＵＥの少なくとも１つの第２のサブセットとに分割することと、
干渉を引き起こしそうであると判定されたＵＥを、前記端末において、前記ＲＮＴＩの少なくとも１つの第１のサブセットに割り当てることと、これによって、干渉を引き起こしそうであると判定されたＵＥはそれぞれ、前記ＲＮＴＩの少なくとも１つの第１のサブセット内の複数のＲＮＴＩのうちの対応する１つを割り当てられるようになる、
をさらに備えるＣ１に記載の方法。
［Ｃ６］
前記端末は、前記ＲＮＴＩの複数のセットを、前記ＲＮＴＩの複数のセットのうちのおのおのの１つのための異なるサブセットにそれぞれ分割するＣ５に記載の方法。
［Ｃ７］
前記割り当てられたおのおののＲＮＴＩは、前記ＲＮＴＩの少なくとも１つの第１のサブセットをユニークに識別する第１の構成要素と、各ＲＮＴＩがそれぞれ割り当てられたＵＥのうちの対応する１つをユニークに識別する第２の構成要素とからなり、
前記方法はさらに、前記ＲＮＴＩの少なくとも１つの第１のサブセット内の割り当てられたＲＮＴＩの第１の構成要素をブロードキャストすることによって、前記ＲＮＴＩの少なくとも第１のサブセットを暗黙的にブロードキャストすることを備えるＣ１に記載の方法。
［Ｃ８］
各ＲＮＴＩは、１６ビットで構成され、各ＲＮＴＩの第１の構成要素は、前記１６ビットのうちの最初の１２ビットによって構成され、各ＲＮＴＩの第２の構成要素は、前記第１の構成要素の最初の１２ビットに続く４ビットによって構成され、前記第２の構成要素の４ビットは、各ＲＮＴＩがそれぞれ割り当てられるＵＥのうちの対応する１つをユニークに識別するＣ７に記載の方法。
［Ｃ９］
前記ＲＮＴＩの少なくとも１つの第１のサブセットは、物理ダウンリンク制御チャネル（ＰＤＣＣＨ）および物理ダウンリンク共有チャネル（ＰＤＳＣＨ）のうちの１つでブロードキャストされるＣ７に記載の方法。
［Ｃ１０］
前記端末が位置するセルの動作条件における変化に適応するために、前記ＲＮＴＩの第１の構成要素に備えられたビット数と、前記ＲＮＴＩの第２の構成要素に備えられたビット数とを動的に修正することを備えるＣ７に記載の方法。
［Ｃ１１］
前記干渉を引き起こしそうであるとは判定されなかったＵＥを、前記端末において、前記ＲＮＴＩの少なくとも１つの第２のサブセットに割り当てること、これによって、前記干渉を引き起こしそうであるとは判定されなかったＵＥはそれぞれ、ＲＮＴＩの少なくとも１つの第２のサブセット内のＲＮＴＩのうちの対応する１つを割り当てられるようになる、
をさらに備えるＣ１に記載の方法。
［Ｃ１２］
前記ＲＮＴＩの少なくとも１つの第１のサブセットは、セル間干渉キャンセルに関連するＲＮＴＩを表し、
前記ＲＮＴＩの少なくとも１つの第２のサブセットは、非セル間干渉に関連するＲＮＴＩを表すＣ１に記載の方法。
［Ｃ１３］
前記ＵＥの少なくとも１つの各属性は、前記端末に対する前記ＵＥのそれぞれの近接度、前記端末によってサービス提供されているセルの端部への前記ＵＥのそれぞれの近接度、および、前記ＵＥのそれぞれのアクティビティ状態、のうちの少なくとも１つを備えるＣ１に記載の方法。
［Ｃ１４］
前記端末は、前記ＵＥがそれぞれ、前記端末に対してよりも、前記セルの端部に対してより近接している場合に、前記ＵＥが前記少なくとも１つの近隣セルとの干渉を引き起こすであろうと判定するＣ１３に記載の方法。
［Ｃ１５］
前記端末は、前記ＵＥが現在、非アクティブな状態にある場合、前記ＵＥが前記少なくとも１つの近隣セルとの干渉を引き起こさないであろうと判定するＣ１３に記載の方法。
［Ｃ１６］
前記割り当てられたＲＮＴＩを、物理ダウンリンク制御チャネル（ＰＤＣＣＨ）および物理ダウンリンク共有チャネル（ＰＤＳＣＨ）のうちの１つによって、前記ＲＮＴＩの少なくとも１つの第１のサブセット内のＲＮＴＩがそれぞれ割り当てられたＵＥのうちの対応する１つにブロードキャストすることをさらに備えるＣ１に記載の方法。
［Ｃ１７］
前記ＲＮＴＩの少なくとも１つの第１のサブセットのうちの対応する１つがそれぞれ割り当てられているＵＥのうち、干渉を引き起こしているＵＥを判定するために、前記少なくとも１つの近隣セルによってサービス提供されているＵＥにおいて、前記ＲＮＴＩの少なくとも１つの第１のサブセットをスキャンすることをさらに備えるＣ１に記載の方法。
［Ｃ１８］
前記ＲＮＴＩの少なくとも１つの第１のサブセットのＲＮＴＩがそれぞれ割り当てられている前記ＵＥのうちの対応する１つに、前記ＵＥのうちの対応する１つにダウンリンクが向けられていることを通知するために、前記ＲＮＴＩの少なくとも１つの第１のサブセットの内、割り当てられたＲＮＴＩのうちのおのおのの１つを、前記ＵＥのうちの対応する１つにブロードキャストすることをさらに備えるＣ１に記載の方法。
［Ｃ１９］
前記ＲＮＴＩの少なくとも１つの第１のサブセットの内、割り当てられたＲＮＴＩのおのおのの１つが、前記ＲＮＴＩの少なくとも１つの第１のサブセットのうちのＲＮＴＩがそれぞれ割り当てられたＵＥのうちの対応する１つの制御チャネルを構成し、
前記ＵＥのうちの対応する１つの制御チャネルのコンテンツが、前記ＵＥのうちの対応する１つに割り当てられたＲＮＴＩでスクランブルされるＣ１に記載の方法。
［Ｃ２０］
前記端末のコンピューティング・デバイスに対して、Ｃ１に記載の方法を実行させる、記録されたコンピュータ・プログラムを有するコンピュータ読取可能記録媒体。
［Ｃ２１］
無線ネットワークにおけるセル間干渉キャンセルを容易にする方法であって、
前記無線ネットワーク内の端末によってサービス提供されているユーザ機器（ＵＥ）のセットのためのＲＮＴＩ（ラジオ・ネットワーク・テンポラリ・アイデンティフィファイヤ）のセットを、前記無線ネットワークの端末において管理することと、
前記ＲＮＴＩのセットを、前記端末において、複数のサブセットに分割することと、  前記端末において、前記ＵＥの第１のグループを、少なくとも１つの基準に基づいて、前記分割された複数のサブセット内の第１のセットへ割り当てることと、これによって、前記ＵＥの第１のグループにおけるＵＥがそれぞれ、ＲＮＴＩの第１のサブセット内のＲＮＴＩのうちの対応する１つを割り当てられるようになり、ここでは、前記ＲＮＴＩの第１のサブセット内の割り当てられたＲＮＴＩはおのおのの、前記ＲＮＴＩの第１のサブセットをユニークに識別する第１の構成要素と、前記ＲＮＴＩの第１のサブセットの各ＲＮＴＩがそれぞれ割り当てられたＵＥの第１のグループのうちの対応する１つをユニークに識別する第２の構成要素とから構成され、
前記ＲＮＴＩの第１のサブセット内の割り当てられたＲＮＴＩの第１の構成要素をブロードキャストすることによって、前記ＲＮＴＩの第１のサブセットを暗黙的にブロードキャストすることと
を備える方法。
［Ｃ２２］
前記少なくとも１つの基準は、前記端末によってサービス提供されているＵＥが、少なくとも１つの近隣セルとの干渉を引き起こしそうであるかを備えるＣ２１に記載の方法。
［Ｃ２３］
前記端末は、前記ＵＥが、少なくとも１つの近隣セルとの干渉を引き起こしそうであるかを、前記ＵＥの少なくとも１つの各属性に基づいて判定し、
前記ＵＥの少なくとも１つの各属性は、前記端末に対する前記ＵＥのそれぞれの近接度、前記端末によってサービス提供されているセルの端部への前記ＵＥのそれぞれの近接度、および、前記ＵＥのそれぞれのアクティビティ状態、のうちの少なくとも１つを備えるＣ２２に記載の方法。
［Ｃ２４］
前記端末は、前記ＵＥがそれぞれ、前記端末に対してよりも、前記セルの端部に対してより近接している場合に、前記ＵＥが前記少なくとも１つの近隣セルとの干渉を引き起こすであろうと判定するＣ２３に記載の方法。
［Ｃ２５］
前記端末は、前記ＵＥが現在、非アクティブな状態にある場合に、前記ＵＥが前記少なくとも１つの近隣セルとの干渉を引き起こさないであろうと判定するＣ２３に記載の方法。
［Ｃ２６］
前記ＲＮＴＩの第１のサブセットのうちの対応する１つがそれぞれ割り当てられているＵＥの第１のグループのＵＥのうち、干渉を引き起こしているＵＥを判定するために、前記少なくとも１つの近隣セルによってサービス提供されているＵＥにおいて、前記ＵＥの第１のグループに割り当てられたＲＮＴＩの第１のサブセットをスキャンすることをさらに備えるＣ２２に記載の方法。
［Ｃ２７］
前記ＵＥが、前記少なくとも１つの近隣セルとの干渉を引き起こしそうであるかを判定することと、
前記ＵＥの第２のグループを、前記ＲＮＴＩのサブセットの第２の１つに割り当てることと、これによって、前記ＵＥの第２のグループにおけるＵＥはそれぞれ、前記ＲＮＴＩの第２のサブセット内のＲＮＴＩのうちの対応する１つを割り当てられるようになり、をさらに備え、
前記ＵＥの第２のグループは、前記少なくとも１つの近隣セルとの干渉を引き起こしそうであるとは判定されなかったＵＥを備えるＣ２１に記載の方法。
［Ｃ２８］
前記ＲＮＴＩの第１のサブセットは、セル間干渉キャンセルに関連するＲＮＴＩを表し、前記ＲＮＴＩの第２のサブセットは、非セル間干渉に関連するＲＮＴＩを表すＣ２７に記載の方法。
［Ｃ２９］
前記ＵＥの第１のグループを、前記ＲＮＴＩの少なくとも１つの第１のサブセットに割り当てることは、前記割り当てられたＲＮＴＩを、物理ダウンリンク制御チャネル（ＰＤＣＣＨ）および物理ダウンリンク共有チャネル（ＰＤＳＣＨ）のうちの１つによって、前記第１のサブセット内のＲＮＴＩがそれぞれ割り当てられたＵＥの第１のグループのＵＥのうちの対応する１つにブロードキャストすることを備えるＣ２１に記載の方法。
［Ｃ３０］
前記ＲＮＴＩの第１のサブセットのＲＮＴＩがそれぞれ割り当てられている前記ＵＥのうちの対応する１つに、前記ＵＥのうちの対応する１つにダウンリンクが向けられていることを通知するために、前記ＲＮＴＩの第１のサブセットの内、割り当てられたＲＮＴＩのうちのおのおのの１つが、前記ＵＥの第１のグループのうちの対応する１つにブロードキャストされるＣ２１に記載の方法。
［Ｃ３１］
前記ＲＮＴＩの第１のサブセットの内、割り当てられたＲＮＴＩのおのおのの１つは、前記ＲＮＴＩの第１のサブセットのＲＮＴＩがそれぞれ割り当てられるＵＥの第１のグループの対応する１つのための制御チャネルを構成し、
前記ＵＥの対応する１つのための制御チャネルのコンテンツは、前記ＵＥのうちの対応する１つに割り当てられたＲＮＴＩ内でスクランブルされるＣ２１に記載の方法。
［Ｃ３２］
割り当てられた各ＲＮＴＩは、１６ビットで構成され、
各ＲＮＴＩの第１の構成要素は、前記１６ビットのうちの最初の１２ビットによって構成され、各ＲＮＴＩの第２の構成要素は、前記第１の構成要素の最初の１２ビットに続く４ビットによって構成されるＣ２１に記載の方法。
［Ｃ３３］
前記端末のコンピューティング・デバイスに対して、Ｃ２１に記載の方法を実行させる、記録されたコンピュータ・プログラムを有するコンピュータ読取可能記録媒体。
［Ｃ３４］
セル間干渉キャンセルを容易にするように構成された少なくとも１つのプロセッサを有するコンピュータ処理デバイスであって、
前記少なくとも１つのプロセッサは、
無線ネットワーク内の端末によってサービス提供されている複数のＵＥ（ユーザ機器）のためのＲＮＴＩ（ラジオ・ネットワーク・テンポラリ・アイデンティファイヤ）のセットを管理するように構成された第１のモジュールと、
前記ＵＥが近隣セルのうちの少なくとも１つとの干渉を引き起こしそうであるかを、前記ＵＥの少なくとも１つの各属性に基づいて判定するように構成された第２のモジュールと、
前記ＲＮＴＩのセットを、干渉を引き起こしそうであると判定されたＵＥの少なくとも１つの第１のサブセットと、干渉を引き起こしそうであるとは判定されなかったＵＥの少なくとも１つの第２のサブセットとに分割するように構成された第３のモジュールと、  前記干渉を引き起こしそうであると判定されたＵＥを、前記ＲＮＴＩの少なくとも１つの第１のサブセットに割り当てるように構成された第４のモジュールと、これによって、干渉を引き起こしそうであると判定されたＵＥはそれぞれ、前記ＲＮＴＩの少なくとも１つの第１のサブセット内のＲＮＴＩのうちの対応する１つが割り当てられるようになり、を備え、
ここで、割り当てられたおのおののＲＮＴＩは、前記ＵＥのうちの対応する１つをユニークに識別する、コンピュータ処理デバイス。
［Ｃ３５］
前記プロセッサはさらに、前記端末に対して、前記割り当てられたＲＮＴＩを、物理ダウンリンク制御チャネル（ＰＤＣＣＨ）および物理ダウンリンク共有チャネル（ＰＤＳＣＨ）のうちの１つによって、前記ＲＮＴＩの少なくとも１つの第１のサブセット内のＲＮＴＩがそれぞれ割り当てられたＵＥのうちの対応する１つにブロードキャストさせるように構成された第５のモジュールを備えるＣ３４に記載のコンピュータ処理デバイス。
［Ｃ３６］
前記第５のモジュールは、前記端末に対して、前記ＲＮＴＩの少なくとも１つの第１のサブセットのＲＮＴＩがそれぞれ割り当てられている前記ＵＥのうちの対応する１つに、前記ＵＥのうちの対応する１つにダウンリンクが向けられていることを通知するために、前記ＲＮＴＩの少なくとも１つの第１のサブセットの内、割り当てられたＲＮＴＩのうちのおのおのの１つを、前記ＵＥのうちの対応する１つにブロードキャストするように構成された、Ｃ３５に記載のコンピュータ処理デバイス。
［Ｃ３７］
前記プロセッサはさらに、前記端末に対して、前記ＲＮＴＩの少なくとも１つのサブセットのうち、割り当てられたＲＮＴＩを、前記少なくとも１つの近隣セルにサービス提供している別の端末と、前記少なくとも１つの近隣セル内でサービス提供されている少なくとも１つのＵＥとのうちの少なくとも一方に通信させ、前記ＲＮＴＩの少なくとも１つの第１のサブセットのうちの対応する１つがそれぞれ割り当てられているＵＥのうち、干渉を引き起こしているＵＥを判定するために、前記少なくとも１つの近隣セルにおいてサービス提供されている少なくとも１つのＵＥが、前記ＲＮＴＩの第１のサブセットをスキャンすることを可能にするように構成された第５のモジュールを備えるＣ３４に記載のコンピュータ処理デバイス。
［Ｃ３８］
前記第４のモジュールは、干渉を引き起こしそうであるとは判定されなかったＵＥを、前記ＲＮＴＩの少なくとも１つの第２のサブセットに割り当てるように構成され、これによって、干渉を引き起こしそうであるとは判定されなかったＵＥはそれぞれ、ＲＮＴＩの少なくとも１つの第２のサブセット内のＲＮＴＩのうちの対応する１つを割り当てられるようになる、Ｃ３４に記載のコンピュータ処理デバイス。
［Ｃ３９］
割り当てられたおのおののＲＮＴＩは、ＲＮＴＩの少なくとも１つの第１のサブセットをユニークに識別する第１の構成要素と、おのおののＲＮＴＩがそれぞれ割り当てられるＵＥのうちの対応する１つをユニークに識別する第２の構成要素とを備え、
前記プロセッサはさらに、前記端末に対して、ＲＮＴＩの少なくとも第１のサブセット内の割り当てられたＲＮＴＩの第１の構成要素をブロードキャストすることによって、ＲＮＴＩの少なくとも１つの第１のサブセットを暗黙的にブロードキャストさせるように構成されたＣ３４に記載のコンピュータ処理デバイス。
［Ｃ４０］
前記第５のモジュールは、前記端末に対して、物理ダウンリンク制御チャネル（ＰＤＣＣＨ）および物理ダウンリンク共有チャネル（ＰＤＳＣＨ）のうちの１つで、前記ＲＮＴＩの少なくとも１つの第１のサブセットを暗黙的にブロードキャストさせるように構成されたＣ３９に記載のコンピュータ処理デバイス。
［Ｃ４１］
前記ＲＮＴＩの少なくとも１つの第１のサブセットは、セル間干渉キャンセルに関連するＲＮＴＩを表し、前記ＲＮＴＩの少なくとも１つの第２のサブセットは、非セル間干渉に関連するＲＮＴＩを表すＣ３４に記載のコンピュータ処理デバイス。
［Ｃ４２］
前記ＵＥの少なくとも１つの各属性は、前記端末に対する前記ＵＥのそれぞれの近接度、前記端末によってサービス提供されているセルの端部への前記ＵＥのそれぞれの近接度、および、前記ＵＥのそれぞれのアクティビティ状態、のうちの少なくとも１つを備えるＣ３４に記載のコンピュータ処理デバイス。
［Ｃ４３］
前記第２のモジュールは、前記ＵＥがそれぞれ、前記端末に対してよりも、前記セルの端部に対してより近接している場合に、前記ＵＥが前記少なくとも１つの近隣セルとの干渉を引き起こすであろうと判定するように構成されたＣ４２に記載のコンピュータ処理デバイス。
［Ｃ４４］
無線ネットワーク内の端末によってサービス提供されているＵＥ（ユーザ機器）のセットのためのＲＮＴＩ（リモート・ネットワーク・テンポラリ・アイデンティファイヤ）のセットを管理する手段と、
前記ＵＥが近隣セルのうちの少なくとも１つとの干渉を引き起こしそうであるかを、前記ＵＥの少なくとも１つの各属性に基づいて判定する手段と、
前記ＲＮＴＩのセットを、干渉を引き起こしそうであると判定されたＵＥの少なくとも１つの第１のサブセットと、干渉を引き起こしそうであるとは判定されなかったＵＥの少なくとも１つの第２のサブセットとに分割する手段と、
干渉を引き起こしそうであると判定されたＵＥを、前記ＲＮＴＩの少なくとも１つの第１のサブセットに割り当てる手段と、これによって、前記干渉を引き起こしそうであると判定されたＵＥはそれぞれ、ＲＮＴＩの少なくとも１つの第１のサブセット内のＲＮＴＩのうちの対応する１つを割り当てられるようになり、
を備え、
ここで、割り当てられたおのおののＲＮＴＩは、ＲＮＴＩがそれぞれ割り当てられたＵＥのうちの対応する１つをユニークに識別する、装置。
［Ｃ４５］
前記割り当てられたＲＮＴＩを、物理ダウンリンク制御チャネル（ＰＤＣＣＨ）および物理ダウンリンク共有チャネル（ＰＤＳＣＨ）のうちの１つによって、前記ＲＮＴＩの少なくとも１つの第１のサブセットの内のＲＮＴＩがそれぞれ割り当てられたＵＥのうちの対応する１つにブロードキャストする手段をさらに備えるＣ４４に記載の装置。
［Ｃ４６］
前記ブロードキャストする手段は、前記ＲＮＴＩの少なくとも１つの第１のサブセットのＲＮＴＩがそれぞれ割り当てられている前記ＵＥのうちの対応する１つに、前記ＵＥのうちの対応する１つにダウンリンクが向けられていることを通知するために、前記ＲＮＴＩの少なくとも１つの第１のサブセットの内、割り当てられたＲＮＴＩのうちのおのおのの１つを、前記ＵＥのうちの対応する１つにブロードキャストする、Ｃ４５に記載の装置。
［Ｃ４７］
前記ＲＮＴＩの少なくとも１つのサブセットのうち、割り当てられたＲＮＴＩを、前記少なくとも１つの近隣セルにサービス提供している別の端末と、前記少なくとも１つの近隣セル内でサービス提供されている少なくとも１つのＵＥとのうちの少なくとも一方に通信し、前記ＲＮＴＩの少なくとも１つの第１のサブセットのうちの対応する１つがそれぞれ割り当てられているＵＥのうち、干渉を引き起こしているＵＥを判定するために、前記少なくとも１つの近隣セルにおいてサービス提供されている少なくとも１つのＵＥが、前記ＲＮＴＩの第１のサブセットをスキャンすることを可能にする手段をさらに備えるＣ４４に記載の装置。
［Ｃ４８］
前記割り当てる手段は、干渉を引き起こしそうであるとは判定されなかったＵＥを、ＲＮＴＩの少なくとも１つの第２のサブセットに割り当て、これによって、干渉を引き起こしそうであるとは判定されなかったＵＥはそれぞれ、ＲＮＴＩの少なくとも１つの第２のサブセットの内、ＲＮＴＩのうちの対応する１つを割り当てられるようになる、Ｃ４４に記載の装置。
［Ｃ４９］
割り当てられた各ＲＮＴＩは、ＲＮＴＩの少なくとも１つの第１のサブセットをユニークに識別する第１の構成要素と、各ＲＮＴＩがそれぞれ割り当てられたＵＥのうちの対応する１つをユニークに識別する第２の構成要素とから構成され、
前記装置はさらに、ＲＮＴＩの少なくとも１つの第１のサブセット内の割り当てられたＲＮＴＩの第１の構成要素をブロードキャストすることによって、ＲＮＴＩの少なくとも１つの第１のサブセットを暗黙的にブロードキャストする手段を備えるＣ４４に記載の装置。
［Ｃ５０］
前記暗黙的にブロードキャストする手段は、前記ＲＮＴＩの少なくとも１つの第１のサブセットを、物理ダウンリンク制御チャネル（ＰＤＣＣＨ）および物理ダウンリンク共有チャネル（ＰＤＳＣＨ）のうちの１つで暗黙的にブロードキャストするＣ４９に記載の装置。
［Ｃ５１］
前記ＲＮＴＩの少なくとも１つの第１のサブセットは、セル間干渉キャンセルに関連するＲＮＴＩを表し、前記ＲＮＴＩの少なくとも１つの第２のサブセットは、非セル間干渉に関連するＲＮＴＩを表すＣ４４に記載の装置。
［Ｃ５２］
前記ＵＥの少なくとも１つの各属性は、前記端末に対する前記ＵＥのそれぞれの近接度、前記端末によってサービス提供されているセルの端部への前記ＵＥのそれぞれの近接度、および、前記ＵＥのそれぞれのアクティビティ状態、のうちの少なくとも１つを備えるＣ４４に記載の装置。
［Ｃ５３］
前記判定する手段は、前記ＵＥがそれぞれ、前記端末に対してよりも、前記セルの端部に対してより近接している場合に、前記ＵＥが前記少なくとも１つの近隣セルとの干渉を引き起こすであろうと判定するＣ５２に記載の装置。
［Ｃ５４］
装置であって、
無線ネットワーク内の複数のユーザ機器（ＵＥ）へコンテンツをブロードキャストするように構成された送信機と、ここで、前記送信機から送信されたコンテンツは、前記コンテンツが送信されるＵＥにそれぞれユニークであるＲＮＴＩを含み、
空間分割構成要素と暗黙的ブロードキャスト構成要素とを含むＲＮＴＩ構成要素とを備え、
前記空間分割構成要素は、前記複数のＵＥのためのＲＮＴＩのセットを維持し、前記ＲＮＴＩのセットを、複数のＵＥの少なくとも１つの各属性に基づいて、複数のサブセットに分割し、前記ＵＥの第１のグループにおけるＵＥの各属性に基づいて、前記複数のＵＥの第１のグループを、前記分割されたＲＮＴＩの第１のサブセットへ割り当て、これによって、前記ＵＥの第１のグループにおけるＵＥがそれぞれ、前記ＲＮＴＩの第１のサブセット内のＲＮＴＩのうちの対応する１つに割り当てられるようになる、ように構成され、前記ＲＮＴＩの第１のサブセット内の割り当てられたＲＮＴＩはおのおのの、前記ＲＮＴＩの第１のサブセットをユニークに識別する第１の構成要素と、前記ＲＮＴＩの第１のサブセットの各ＲＮＴＩがそれぞれ割り当てられたＵＥの第１のグループのうちの対応する１つをユニークに識別する第２の構成要素とを備え、
前記暗黙的ブロードキャスト構成要素は、前記ＲＮＴＩの第１のサブセットのうち、割り当てられたＲＮＴＩの第１の構成要素をブロードキャストすることによって、前記送信機に対して、前記ＲＮＴＩの第１のサブセットを暗黙的にブロードキャストさせるように構成された装置。
［Ｃ５５］
前記ＵＥの少なくとも１つの各属性は、前記ＵＥが、少なくとも１つの近隣セルとの干渉を引き起こしそうであるかのうちの１つを備えるＣ５４に記載の装置。
［Ｃ５６］
前記空間分割構成要素はさらに、前記送信機に対して、前記割り当てられたＲＮＴＩを、物理ダウンリンク制御チャネル（ＰＤＣＣＨ）および物理ダウンリンク共有チャネル（ＰＤＳＣＨ）のうちの１つによって、前記ＲＮＴＩの第１のサブセットの内のＲＮＴＩがそれぞれ割り当てられたＵＥのうちの対応する１つにブロードキャストさせるように構成されたＣ５４に記載の装置。
［Ｃ５７］
前記ＲＮＴＩ構成要素は、前記ＵＥが、少なくとも１つの近隣セルとの干渉を引き起こしそうであるかを判定するように構成され、
前記空間分割構成要素はさらに、前記ＵＥの第２のグループを、ＲＮＴＩのサブセットのうちの第２の１つに割り当てるように構成され、これによって、前記ＵＥの第２のグループにおけるＵＥはそれぞれ、ＲＮＴＩの第２のサブセット内のＲＮＴＩのうちの対応する１つを割り当てられるようになり、
前記ＵＥの第２のグループは、干渉を引き起こしそうであるとは判定されなかったＵＥを備える、Ｃ５４に記載の装置。
［Ｃ５８］
前記ＲＮＴＩの第１のサブセットは、セル間干渉キャンセルに関連するＲＮＴＩを表し、前記ＲＮＴＩの第２のサブセットは、非セル間干渉に関連するＲＮＴＩを表すＣ５７に記載の装置。
［Ｃ５９］
前記空間分割構成要素はさらに、前記送信機に対して、前記ＲＮＴＩの少なくとも１つのサブセットのうち、割り当てられたＲＮＴＩを、少なくとも１つの近隣セルにサービス提供している端末と、前記少なくとも１つの近隣セル内でサービス提供されている少なくとも１つのＵＥとのうちの少なくとも一方に通信させ、前記ＲＮＴＩの第１のサブセットのうちの対応する１つがそれぞれ割り当てられているＵＥのうち、干渉を引き起こしているＵＥを判定するために、前記少なくとも１つの近隣セルにおいてサービス提供されている少なくとも１つのＵＥが、前記ＲＮＴＩの第１のサブセットをスキャンすることを可能にするように構成されたＣ５４に記載の装置。
［Ｃ６０］
前記暗黙的ブロードキャスト構成要素は、前記送信機に対して、少なくとも１つの近隣セルにサービス提供している端末と、前記少なくとも１つの近隣セルにおいてサービス提供されている少なくとも１つのＵＥとのうちの少なくとも一方へ、ＲＮＴＩの第１のサブセットを暗黙的にブロードキャストさせ、前記少なくとも１つの近隣セルでサービス提供されている少なくとも１つのＵＥが、暗黙的にブロードキャストされたＲＮＴＩの第１のサブセットに含まれる第１の構成要素に基づいて、ＲＮＴＩの第１のサブセットのうちの対応する１つがそれぞれ割り当てられたＵＥのうち、干渉を引き起こしているＵＥを判定することを可能にするように構成されたＣ５４に記載の装置。
［Ｃ６１］
前記ＲＮＴＩ構成要素は、前記ＵＥが前記少なくとも１つの近隣セルとの干渉を引き起こしそうであるかを判定するように構成され、
前記空間分割構成要素は、
セルＲＮＴＩ（Ｃ−ＲＮＴＩ）、半永続的スケジューリングＲＮＴＩ（ＳＰＳ−ＲＮＴＩ）、テンポラリ・セルＲＮＴＩ（Ｔ−ＲＮＴＩ）、システム情報ＲＮＴＩ（ＳＩ−ＲＮＴＩ）、ページングＲＮＴＩ（Ｐ−ＲＮＴＩ）、およびランダム・アクセスＲＮＴＩ（ＲＡ−ＲＮＴＩ）からなるグループから選択される複数のＲＮＴＩにそれぞれ対応するＲＮＴＩの複数のセットを管理し、
前記ＲＮＴＩの複数のセットを、干渉を引き起こしそうであると判定されたＵＥの少なくとも１つの第１のサブセットと、干渉を引き起こしそうであるとは判定されなかったＵＥの少なくとも１つの第２のサブセットとに分割し、
干渉を引き起こしそうであると判定されたＵＥを、前記ＲＮＴＩの少なくとも１つの第１のサブセットに割り当て、これによって、干渉を引き起こしそうであると判定されたＵＥはそれぞれ、前記ＲＮＴＩの少なくとも１つの第１のサブセット内の複数のＲＮＴＩのうちの対応する１つを割り当てられるようになる、ように構成された、Ｃ５４に記載の装置。
［Ｃ６２］
前記空間分割構成要素は、前記ＲＮＴＩの複数のセットを、前記ＲＮＴＩの複数のセットのうちのおのおのの１つのための異なるサブセットにそれぞれ分割するように構成されたＣ６１に記載の装置。
［Ｃ６３］
無線ネットワークにおいて、端末によってサービス提供されるように構成されたユーザ機器（ＵＥ）であって、前記ＵＥは、
前記端末によってサービス提供されているセル内のＵＥをユニークに識別するために、前記ＵＥに割り当てられたＲＮＴＩ（ラジオ・ネットワーク・テンポラリ・アイデンティファイヤ）を受信し、前記端末によってサービス提供されているセル内のＵＥとの干渉を引き起こしそうである少なくとも１つの近隣セル内のＵＥにそれぞれ割り当てられたＲＮＴＩのサブセットを受信する、ように構成された受信ユニットと、
端末によってサービス提供されているセル内のＵＥとの干渉を引き起こし、しかも、受信されたＲＮＴＩのサブセットのうちの対応する１つが割り当てられている少なくとも１つの近隣セル内のＵＥのうち、干渉を引き起こしている少なくとも１つのＵＥを判定するために、少なくとも１つの近隣セルにおけるＵＥに割り当てられた、受信されたＲＮＴＩのサブセットをスキャンするように構成された処理ユニットと、
前記判定されたＵＥによって引き起こされた干渉の緩和およびキャンセルのうちの少なくとも１つを開始するために、前記判定されたＵＥのアイデンティティを含む干渉通知信号を、前記端末、および、前記少なくとも１つの近隣セルにサービス提供している別の端末、のうちの少なくとも１つへ送信するように構成された送信ユニットと
を備えるユーザ機器。
［Ｃ６４］
前記少なくとも１つの近隣セル内のＵＥに割り当てられたＲＮＴＩのサブセット内のＲＮＴＩはおのおの、
前記少なくとも１つの近隣セル内のＵＥに割り当てられたＲＮＴＩのサブセットをユニークに識別する第１の構成要素と、ＲＮＴＩのサブセットのおのおののＲＮＴＩがそれぞれ割り当てられている少なくとも１つの近隣セルにおけるＵＥのうちの対応する１つをユニークに識別する第２の構成要素とを備え、
前記受信ユニットは、ＲＮＴＩのサブセットの第１の構成要素を受信するように構成され、
前記処理ユニットは、前記少なくとも１つの近隣セル内のＵＥのうちの対応する１つに割り当てられたＲＮＴＩのそれぞれの第２の要素を、前記ＲＮＴＩの第１の構成要素に基づいて判定するために、および、前記少なくとも１つの近隣セル内のＵＥに割り当てられたＲＮＴＩの、判定されたそれぞれの第２の構成要素に基づいて、前記少なくとも１つの近隣セル内の前記少なくとも１つの干渉を引き起こしているＵＥを判定するために、前記受信されたＲＮＴＩのサブセットで構成されるＲＮＴＩをスキャンするように構成された、Ｃ６３に記載のユーザ機器。
【図１】
0005596196.tif 000002
【図２】
0005596196.tif 000003
【図３】
0005596196.tif 000004
【図４】
0005596196.tif 000005
【図５】
0005596196.tif 000006
【図６】
0005596196.tif 000007
【図７】
0005596196.tif 000008
【図８】
0005596196.tif 000009